(57)【要約】【課題】共通の接続回線を用い、回線交換通信とパケット交換通信を簡単に使い分ける。【解決手段】光通信システム１００は、宅内システム１０，８０と、光ファイバーケーブル２０，７０と、地域アクセス網３０，５０と、中継網４０とを備える。ＩＳＤＮ６０が、地域アクセス網３０、中継網４０、地域アクセス網５０に渡って設けられる。地域アクセス網３０、中継網４０、地域アクセス網５０には、それぞれＩＰ網３２，４２，５２が設けられ、互いに接続している。地域アクセス網３０，５０内には、ＩＳＤＮ６０及びＩＰ網３２，５２と接続する局内通信変換装置３１，５１が設けられる。宅内システム１０，８０は、ＩＳＤＮ端末装置１２，８２と、端末装置１３，８３と、ＩＳＤＮ端末装置１２，８２及び端末装置１３，８３と接続する宅内通信変換装置１１，８１とを備える。【選択図】      図１
2004328656.tif 000002
【特許請求の範囲】
【請求項１】
回線交換通信を行う回線交換網及びパケット交換通信を行うパケット交換網と接続する網通信変換装置と、該網通信変換装置と光ファイバーケーブル又はディジタル加入者回線を介して情報を送受信する端末通信変換装置とを備える通信システムであって、
前記網通信変換装置は、
前記回線交換網と接続する網回線交換インタフェース部と、
前記パケット交換網と接続する網パケット交換インタフェース部と、
前記光ファイバーケーブル又はディジタル加入者回線を介して前記情報を、ＡＴＭセルとして送受信する網送受信部と、
該網送受信部が送信する情報を、前記網回線交換インタフェース部及び前記網パケット交換インタフェース部から取得し、該取得した情報に、前記回線交換通信又は前記パケット交換通信のいずれにより送受信する情報であるかを示す制御データであって、ＴＣＰ層、ＩＰ層又はＰＰＰｏＥ層の少なくとも１つにおける制御データを付加し、前記網送受信部が受信した情報を、前記ＴＣＰ層、ＩＰ層又はＰＰＰｏＥ層の少なくとも１つにおける制御データに基づいて、前記網回線交換インタフェース部及び前記網パケット交換インタフェース部に分けて提供する網制御部とを備え、
前記端末通信変換装置は、
前記回線交換通信を行う回線交換端末装置と接続する端末回線交換インタフェース部と、
前記パケット交換通信を行うパケット交換端末装置と接続する端末パケット交換インタフェース部と、
前記光ファイバーケーブル又は前記ディジタル加入者回線を介して前記情報を送受信する端末送受信部と、
該端末送受信部が送信する情報を、前記端末回線交換インタフェース部及び前記端末パケット交換インタフェース部から取得し、該取得した情報に、前記ＴＣＰ層、ＩＰ層又はＰＰＰｏＥ層の少なくとも１つにおける制御データを付加し、前記端末送受信部が受信した情報を、前記ＴＣＰ層、ＩＰ層又はＰＰＰｏＥ層の少なくとも１つにおける制御データに基づいて、前記端末回線交換インタフェース部及び前記端末パケット交換インタフェース部に分けて提供する端末制御部とを備えることを特徴とする通信システム。
【請求項２】
前記光ファイバーケーブル又は前記ディジタル加入者回線に接続して前記網通信変換装置と前記情報を、前記ＡＴＭセルとして送受信する通信装置を備え、
前記端末送受信部は、前記通信装置を介して前記情報を送受信することを特徴とする請求項１に記載の通信システム。
【請求項３】
回線交換通信を行う回線交換網と接続する網回線交換インタフェース部と、
パケット交換通信を行うパケット交換網と接続する網パケット交換インタフェース部と、
光ファイバーケーブル又はディジタル加入者回線を介して情報を、ＡＴＭセルとして送受信する網送受信部と、
該網送受信部が送信する情報を、前記網回線交換インタフェース部及び前記網パケット交換インタフェース部から取得し、該取得した情報に、前記回線交換通信又は前記パケット交換通信のいずれにより送受信する情報であるかを示す制御データであって、ＴＣＰ層、ＩＰ層又はＰＰＰｏＥ層の少なくとも１つにおける制御データを付加し、前記網送受信部が受信した情報を、前記ＴＣＰ層、ＩＰ層又はＰＰＰｏＥ層の少なくとも１つにおける制御データに基づいて、前記網回線交換インタフェース部及び前記網パケット交換インタフェース部に分けて提供する網制御部と
を備えることを特徴とする網通信変換装置。
【請求項４】
前記網送受信部は、前記網制御部が前記網回線交換インタフェース部から情報を取得すると、前記網制御部が次に情報を取得する前に、前記取得した情報を送信することを特徴とする請求項３に記載の網通信変換装置。
【請求項５】
前記回線交換網又は前記パケット交換網の少なくとも１つに、シリアル通信により前記情報を提供する網シリアル通信インタフェース部、又は、前記回線交換網又は前記パケット交換網の少なくとも１つに、パラレル通信により前記情報を提供する網パラレル通信インタフェース部の少なくとも１つを備えることを特徴とする請求項３又は４に記載の網通信変換装置。
【請求項６】
回線交換通信を行う回線交換端末装置と接続する端末回線交換インタフェース部と、
パケット交換通信を行うパケット交換端末装置と接続する端末パケット交換インタフェース部と、
光ファイバーケーブル又はディジタル加入者回線を介して情報を送受信する端末送受信部と、
該端末送受信部が送信する情報を、前記端末回線交換インタフェース部及び前記端末パケット交換インタフェース部から取得し、該取得した情報に、前記回線交換通信又は前記パケット交換通信のいずれにより送受信する情報であるかを示す制御データであって、ＴＣＰ層、ＩＰ層又はＰＰＰｏＥ層の少なくとも１つにおける制御データを付加し、前記端末送受信部が受信した情報を、前記ＴＣＰ層、ＩＰ層又はＰＰＰｏＥ層の少なくとも１つにおける制御データに基づいて、前記端末回線交換インタフェース部及び前記端末パケット交換インタフェース部に分けて提供する端末制御部と
を備えることを特徴とする端末通信変換装置。
【請求項７】
前記端末送受信部は、前記情報をＡＴＭセルとして送受信することを特徴とする請求項６に記載の端末通信変換装置。
【請求項８】
前記端末送受信部は、前記端末制御部が前記端末回線交換インタフェース部から情報を取得すると、前記端末制御部が次に情報を取得する前に、前記取得した情報を送信することを特徴とする請求項６又は７に記載の端末通信変換装置。
【請求項９】
前記回線交換端末装置又は前記パケット交換端末装置の少なくとも１つに、シリアル通信により前記情報を提供する端末シリアル通信インタフェース部、又は、前記回線交換端末装置又は前記パケット交換端末装置の少なくとも１つに、パラレル通信により情報を提供する端末パラレル通信インタフェース部の少なくとも１つを備えることを特徴とする請求項６乃至８のいずれか１項に記載の端末通信変換装置。
【発明の詳細な説明】
【０００１】
【発明の属する技術分野】
本発明は、通信システム、網通信変換装置及び端末通信変換装置に関する。
【０００２】
【従来の技術】
従来、光ファイバーケーブル用いた光通信システムやｘＤＳＬ（ｘＤｉｇｉｔａｌ  Ｓｕｂｓｃｒｉｂｅｒ  Ｌｉｎｅ：ディジタル加入者回線）を用いたｘＤＳＬ通信システムでは、ＡＴＭ（Ａｓｙｎｃｈｒｏｎｏｕｓ  Ｔｒａｎｓｆｅｒ  Ｍｏｄｅ：非同期転送モード）パケット通信が行われている。ＡＴＭパケット通信は、ＡＴＭセルと呼ばれるパケットを、ヘッダに従って光ファイバーケーブル、又はディジタル加入者回線の区間で送受信している。
【０００３】
又、ｘＤＳＬ通信と、既設のネットワークであるＩＳＤＮ（Ｉｎｔｅｇｒａｔｅｄ  Ｓｅｒｖｉｃｅｓ  Ｄｉｇｉｔａｌ  Ｎｅｔｗｏｒｋ）などを用いた回線交換方式の回線交換通信との共存を図るために、ｘＤＳＬ通信と回線交換通信を重畳する方法が開発されている。この方法は、特定の周波数帯域を回線交換通信用の帯域として確保する方法である（例えば、特許文献１参照）。同様に、ＡＤＳＬ（Ａｓｙｍｍｅｔｒｉｃ  ＤＳＬ：非対象ディジタル加入者回線）では、回線交換方式の音声通信とｘＤＳＬ通信とで帯域を分割して使用している。一方、このような方法をとることができない光通信システムでは、光通信システムとは別に回線交換方式の音声通信用の回線を、光ファイバーケーブルに並行して敷設している。
【０００４】
このように音声通信のための帯域を確保したり、音声通信のための回線を敷設したりすることなく、光通信システムやｘＤＳＬ通信システムだけで音声通信を行うために、光通信システムやｘＤＳＬ通信システムが行うパケット交換方式で、音声通信を行う形態をとることもできる。即ち、音声をパケットにして送受信するＩＰ電話の形態をとることができる。
【０００５】
又、加入者アクセス装置と上記交換機とのインタフェースをＡＴＭ回線に統一する技術も知られている（例えば、特許文献２参照）。
【０００６】
【特許文献１】
特開２００２−１６５２３７号公報
【０００７】
【特許文献２】
特開平１１−３３１１９１号公報
【０００８】
【発明が解決しようとする課題】
しかしながら、ＩＰ電話では、１１０番、１１９番などの緊急通報、フリーダイヤルなど、従来の回線交換方式の電話で提供していたサービスを提供できない。又、ＩＰ電話では、Ｈ．３２３やＳＩＰ（Ｓｅｓｓｉｏｎ  Ｉｎｉｔｉａｔｉｏｎ  Ｐｒｏｔｏｃｏｌ）などの通信制御プロトコルを用いるため、プロトコルが異なる基盤ネットワークとの接続をどのように行うかが課題となっている。例えば、接続に関わるルールや料金精算の仕組みをどのように規定するかなどの課題がある。更に、ＩＰ電話では、音声通信のパケットがＩＰ網を経由するため、音声品質、接続の安定性、データの信頼性を保証できない。そのため、ＩＰ電話は、銀行振り込みなどの入金システムやセキュリティシステムの中で利用するためには、社会インフラとして問題が多い。
【０００９】
一方、このような問題を防ぐために、音声通信に適した回線交換方式で音声通信を行う場合には、従来のように回線交換方式の音声通信のための回線を敷設したり、回線交換方式の音声通信のための帯域を確保したりする必要がある。即ち、回線交換通信とパケット交換通信を使い分けるために、複数種類の接続回線が必要となったり、帯域を確保したりする必要がある。
【００１０】
そこで、本発明は、共通の接続回線を用い、回線交換通信とパケット交換通信を簡単に使い分けることができる通信システム、網通信変換装置及び端末通信変換装置を提供することを目的とする。
【００１１】
【課題を解決するための手段】
本発明に係る通信システムは、回線交換通信を行う回線交換網及びパケット交換通信を行うパケット交換網と接続する網通信変換装置と、その網通信変換装置と光ファイバーケーブル又はディジタル加入者回線を介して情報を送受信する端末通信変換装置とを備えることを特徴とする。
【００１２】
そして、網通信変換装置は、回線交換網と接続する網回線交換インタフェース部と、パケット交換通信を行うパケット交換網と接続する網パケット交換インタフェース部と、光ファイバーケーブル又はディジタル加入者回線を介して情報を、ＡＴＭセルとして送受信する網送受信部と、その網送受信部が送信する情報を、網回線交換インタフェース部及び網パケット交換インタフェース部から取得し、取得した情報に、回線交換通信又はパケット交換通信のいずれにより送受信する情報であるかを示す制御データであって、ＴＣＰ層、ＩＰ層又はＰＰＰｏＥ層の少なくとも１つにおける制御データを付加し、網送受信部が受信した情報を、ＴＣＰ層、ＩＰ層又はＰＰＰｏＥ層の少なくとも１つにおける制御データに基づいて、網回線交換インタフェース部及び網パケット交換インタフェース部に分けて提供する網制御部とを備えることを特徴とする。
【００１３】
又、端末通信変換装置は、回線交換通信を行う回線交換端末装置と接続する端末回線交換インタフェース部と、パケット交換通信を行うパケット交換端末装置と接続する端末パケット交換インタフェース部と、光ファイバーケーブル又はディジタル加入者回線を介して情報を送受信する端末送受信部と、その端末送受信部が送信する情報を、端末回線交換インタフェース部及び端末パケット交換インタフェース部から取得し、取得した情報に、回線交換通信又はパケット交換通信のいずれにより送受信する情報であるかを示す制御データであって、ＴＣＰ層、ＩＰ層又はＰＰＰｏＥ層の少なくとも１つにおける制御データを付加し、端末送受信部が受信した情報を、ＴＣＰ層、ＩＰ層又はＰＰＰｏＥ層の少なくとも１つにおける制御データに基づいて、端末回線交換インタフェース部及び端末パケット交換インタフェース部に分けて提供する端末制御部とを備えることを特徴とする。
【００１４】
このような通信システム、網通信変換装置、端末通信変換装置によれば、網制御部が、網送受信部が光ファイバーケーブル又はディジタル加入者回線を介して端末通信変換装置に送信する情報を、網回線交換インタフェース部、網パケット交換インタフェース部を介して、それぞれ回線交換網、パケット交換網から取得できる。又、網制御部が、網送受信部が端末通信変換装置から光ファイバーケーブル又はディジタル加入者回線を介して受信した情報を、網回線交換インタフェース部、網パケット交換インタフェース部を介して回線交換網、パケット交換網に分けて提供できる。
【００１５】
又、端末制御部が、端末送受信部が光ファイバーケーブル又はディジタル加入者回線を介して網通信変換装置に送信する情報を、端末回線交換インタフェース部、端末パケット交換インタフェース部を介して、それぞれ回線交換端末装置、パケット交換端末装置から取得できる。又、端末制御部が、端末送受信部が光ファイバーケーブル又はディジタル加入者回線を介して網通信変換装置から受信した情報を、端末回線交換インタフェース部、端末パケット交換インタフェース部を介して回線交換端末装置、パケット交換端末装置に分けて提供できる。
【００１６】
更に、網送受信部は、光ファイバーケーブル又はディジタル加入者回線を介して情報を、ＡＴＭセルとして送受信する。そのため、光ファイバーケーブル又はディジタル加入者回線の区間の通信は、汎用的で相互接続性に優れたＡＴＭパケット通信により行うことができる。
【００１７】
加えて、網制御部、端末制御部は、網送受信部、端末送受信部が送信する情報に、回線交換通信又はパケット交換通信いずれにより送受信する情報であるかを示す制御データであって、ＴＣＰ層、ＩＰ層又はＰＰＰｏＥ層の少なくとも１つにおける制御データを付加し、網送受信部、端末送受信部が受信した情報を、ＴＣＰ層、ＩＰ層又はＰＰＰｏＥ層の少なくとも１つにおける制御データに基づいて分けて提供する。光ファイバーケーブル、ディジタル加入者回線におけるＡＴＭパケット通信のプロトコルの上位層には、ＰＰＰｏＥ層がある。ＰＰＰｏＥ層の上位には、ＩＰ層があり、ＩＰ層の上位にはＴＣＰ層がある。このように、ＡＴＭパケット通信のプロトコルの上位層は、汎用的で相互接続性に優れたプロトコルで構成されている。
【００１８】
そのため、網通信変換装置、端末通信変換装置は、汎用的で相互接続性に優れているＡＴＭパケット通信のプロトコルの上位層と同じＴＣＰ層、ＩＰ層又はＰＰＰｏＥ層の少なくとも１つにおける制御データを利用して、回線交換通信又はパケット交換通信いずれにより送受信する情報であるかを相手に通知したり、判断して分けたりすることができる。
【００１９】
従って、通信システム、網通信変換装置、端末変換装置は、共通の接続回線を用い、回線交換通信とパケット交換通信を簡単に使い分けることができる。
【００２０】
更に、通信システムは、光ファイバーケーブル又はディジタル加入者回線に接続して網通信変換装置と情報を、ＡＴＭセルとして送受信する通信装置を備え、端末送受信部は、通信装置を介して情報を送受信するようにしてもよい。これによれば、端末通信変換装置は、網通信変換装置との通信に必要な機能の一部を省略できる。また、既に通信装置が設置されている場合に、端末通信変換装置は、その通信装置を利用して網通信変換装置と情報を送受信できる。
【００２１】
さらに、通信装置と網通信変換装置との間の回線が、光ファイバーケーブルからディジタル加入者回線に変更する場合、又はディジタル加入者回線から光ファイバーケーブルに変更する場合でも、端末通信変換装置は変更せずに、通信装置の変更だけで情報を送受信できる。
【００２２】
尚、通信システムが通信装置を備えない場合には、端末送受信部も、情報をＡＴＭセルとして送受信することが好ましい。これによれば、光ファイバーケーブル又はディジタル加入者回線の区間の通信は、汎用的で相互接続性に優れたＡＴＭパケット通信により行うことができる。
【００２３】
又、網送受信部、端末送受信部は、網制御部、端末制御部が網回線交換インタフェース部、端末回線交換インタフェース部から情報を取得すると、網制御部、端末制御部が次に情報を取得する前に、取得した情報を送信することが好ましい。これによれば、網通信変換装置、端末通信変換装置は、情報の送受信における遅延を小さくできる。
【００２４】
更に、網通信変換装置は、回線交換網又はパケット交換網の少なくとも１つに、シリアル通信により情報を提供する網シリアル通信インタフェース部、又は、回線交換網又はパケット交換網の少なくとも１つに、パラレル通信により情報を提供する網パラレル通信インタフェース部の少なくとも１つを備えるようにしてもよい。同様に、端末通信変換装置は、回線交換端末装置又はパケット交換端末装置の少なくとも１つに、シリアル通信により情報を提供する端末シリアル通信インタフェース部、又は、回線交換端末装置又はパケット交換端末装置の少なくとも１つに、パラレル通信により情報を提供する端末パラレル通信インタフェース部の少なくとも１つを備えるようにしてもよい。
【００２５】
これによれば、網通信変換装置、端末通信変換装置は、回線交換網やパケット交換網、回線交換端末装置やパケット交換端末装置に、シリアル通信やパラレル通信により、情報を提供できる。
【００２６】
【発明の実施の形態】
次に、本発明の実施の形態について、図面を参照しながら説明する。
【００２７】
［第１の実施の形態］
〔光通信システム〕
図１に示すように、光通信システム１００は、宅内システム１０，８０と、光ファイバーケーブル２０，７０と、地域アクセス網３０，５０と、中継網４０とを備える。
【００２８】
地域アクセス網３０，５０は、宅内システム１０，８０が接続するネットワークである。中継網４０は、地域アクセス網３０，５０からの情報を、他の地域アクセス網５０，３０に中継するネットワークである。そして、ＩＳＤＮ６０が、地域アクセス網３０、中継網４０、地域アクセス網５０に渡って設けられている。ＩＳＤＮ６０は、電話やファックス、データ通信を統合して扱う総合ディジタル通信網である。ＩＳＤＮ６０は、回線交換方式の回線交換通信を行う回線交換網である。ＩＳＤＮ６０には、ＩＳＤＮ交換機が設置されている。
【００２９】
又、地域アクセス網３０、中継網４０、地域アクセス網５０には、それぞれＩＰ網３２，４２，５２が設けられ、お互いに接続している。ＩＰ網３２，４２，５２は、ＩＰ（Ｉｎｔｅｒｎｅｔ  Ｐｒｏｔｏｃｏｌ）と呼ばれるインターネットのプロトコルで、ネットワーク層のプロトコルに従うネットワークである。ＩＰ網３２，４２，５２は、パケット交換方式のパケット交換通信を行うパケット交換網である。ＩＰ網３２，４２，５２には、ルータなどのパケットを転送する装置が設置されている。
【００３０】
地域アクセス網３０，５０内には、局内通信変換装置３１，５１が設けられる。局内通信変換装置３１，５１は、光ファイバーケーブル２０，７０を介して、宅内システム１０，８０に接続する。局内通信変換装置３１，５１は、回線交換網であるＩＳＤＮ６０及びパケット交換網であるＩＰ網３２，５２と接続する網通信変換装置である。網通信変換装置の中で、局内通信変換装置３１，５１のように、ネットワーク内に設けられるものを、特に局内通信変換装置という。
【００３１】
宅内システム１０，８０は、ＩＳＤＮ６０やＩＰ網３２，４２，５２の加入者が利用するシステムである。宅内システム１０，８０は、例えば、一般家庭に構築される。宅内システム１０，８０は、ＦＴＴＨ（Ｆｉｂｅｒ  Ｔｏ  Ｔｈｅ  Ｈｏｍｅ）と呼ばれる家庭に光ファイバーケーブル２０，７０を引き、電話、インターネット、テレビなどのサービスを統合して提供する方式のシステムである。宅内システム１０と宅内システム８０は、光ファイバーケーブル２０，７０、地域アクセス網３０，５０、中継網４０を介して、情報を送受信する。
【００３２】
宅内システム１０，８０は、宅内通信変換装置１１，８１と、ＩＳＤＮ端末装置１２，８２と、端末装置１３，８３とを備える。ＩＳＤＮ端末装置１２，８２は、回線交換通信を行う回線交換端末装置である。ＩＳＤＮ端末装置１２，８２は、ＩＳＤＮ６０を使用して情報を送受信する。端末装置１３，８３は、パケット交換通信を行うパケット交換端末装置である。端末装置１３，８３は、ＩＰ網３２，４２，５２を使用して情報を送受信する。端末装置１３，８３には、例えば、パーソナルコンピュータなどがある。宅内通信変換装置１１，８１は、光ファイバーケーブル２０，７０を介して地域アクセス網３０，５０に接続する。宅内通信変換装置１１，８１は、回線交換端末装置であるＩＳＤＮ端末装置１２，８２及びパケット交換端末装置である端末装置１３，８３と接続する端末通信変換装置である。端末通信変換装置の中で、宅内通信変換装置１１，８１のように、宅内システム１０，８０内に設けられるものを、特に宅内通信変換装置という。
【００３３】
光ファイバーケーブル２０，７０は、宅内システム１０，８０と地域アクセス網３０，５０とを接続する。詳細には、光ファイバーケーブル２０，７０は、宅内通信変換装置１１，８１と、局内通信変換装置３１，５１とを接続する接続回線である。光ファイバーケーブル２０，７０には、距離制限が厳しくない、他の回線などからのノイズを受けにくい、通信速度の安定性がある、高速な通信が可能であるなどの利点がある。
【００３４】
次に、図２を用いて宅内通信変換装置と局内通信変換装置について、詳細に説明する。図２では、宅内通信変換装置１１と、光ファイバーケーブル２０と、局内通信変換装置３１を示しているが、宅内通信変換装置８１と、光ファイバーケーブル７０と、局内通信変換装置５１についても同様である。宅内通信変換装置１１と局内通信変換装置３１は、対向して設置される。宅内通信変換装置１１、局内通信変換装置３１は、ＴＣＰ層において制御を行う。
【００３５】
〔ＴＣＰ層における制御〕
（宅内通信変換装置）
宅内通信変換装置１１は、局内通信変換装置３１と光ファイバーケーブル２０を介して情報を送受信する端末通信変換装置である。宅内通信変換装置１１は、Ｕ点ポート１１ａと、イーサネットインタフェースポート１１ｂと、Ｕ点制御部１１ｃと、イーサネット制御部１１ｄと、ＴＣＰ部１１ｅと、ＩＰ部１１ｆと、ＰＰＰ部１１ｇと、ＰＰＰｏＥ部１１ｈと、イーサネット部１１ｉと、ブリッジ１１ｊと、ＡＡＬ部１１ｋと、ＡＴＭ部１１ｌと、光電気変換モジュール１１ｍとを備える。
【００３６】
まず、宅内通信変換装置１１が回線交換通信により情報を送信する場合について説明する。Ｕ点ポート１１ａは、回線交換通信を行うＩＳＤＮ端末装置１２と接続する端末回線交換インタフェース部である。Ｕ点ポート１１ａにより、宅内通信変換装置１１は、ＩＳＤＮのＵ点インタフェース部を持つＩＳＤＮ端末装置１２と接続できる。
【００３７】
Ｕ点ポート１１ａは、ＩＳＤＮ端末装置１２から、ＩＳＤＮを用いた回線交換通信により送受信する情報（以下、「ＩＳＤＮインタフェース情報」という）を取得する。Ｕ点ポート１１ａは、ＩＳＤＮインタフェース情報を、ＩＳＤＮインタフェース情報を含むＩＳＤＮフレームとして取得する。例えば、３２０ｋｂｐｓの速度でＩＳＤＮフレームが、Ｕ点ポート１１ａに入力される。Ｕ点ポート１１ａは、ＩＳＤＮ端末装置１２から取得したＩＳＤＮフレームを、Ｕ点制御部１１ｃに入力する。
【００３８】
Ｕ点制御部１１ｃは、Ｕ点ポート１１ａからＩＳＤＮフレームを取得する。Ｕ点制御部１１ｃは、取得したＩＳＤＮフレームに含まれるＩＳＤＮインタフェース情報を、ＴＣＰ部１１ｅに入力する。ＴＣＰ部１１ｅは、ＴＣＰ（Ｔｒａｎｓｍｉｓｓｉｏｎ  Ｃｏｎｔｒｏｌ  Ｐｒｏｔｏｃｏｌ）と呼ばれるトランスポート層のプロトコルに従って処理を行う。
【００３９】
ＴＣＰ部１１ｅは、Ｕ点制御部１１ｃから取得したＩＳＤＮインタフェース情報から、ＴＣＰフレームを作成する。具体的には、図３に示すように、ＴＣＰ部１１ｅは、まず、取得したＩＳＤＮインタフェース情報を、データフレーム１ｂに格納する。ＴＣＰ部１１ｅは、ＩＳＤＮインタフェース情報を３７７ビットずつに分ける。そして、ＴＣＰ部１１ｅは、データフレーム１ｂのデータ長が１４５２バイト以下となるように、３７７ビットのＩＳＤＮインタフェース情報をｎ個格納する。このように、データフレーム１ｂに格納するＩＳＤＮインタフェース情報のデータ長は、予め定めておく。次に、ＴＣＰ部１１ｅは、データフレーム１ｂに２０バイトのＴＣＰヘッダ１ａを付加し、ＴＣＰフレーム２ｂを作成する。
【００４０】
図４に示すように、ＴＣＰヘッダ１ａは、送信元ポート番号、送信先ポート番号、シーケンス番号、ＡＣＫ番号、データオフセット、予約、フラグ、ウィンドウサイズ、ヘッダチェックサム、緊急ポインタ、オプションとを含む。
【００４１】
送信元ポート番号は、ＴＣＰフレーム２ｂを送信する送信元のポート番号を示す。送信先ポート番号は、ＴＣＰフレーム２ｂを送信する送信先のポート番号を示す。シーケンス番号は、送信データバッファ中の送信開始位置を示す。ＡＣＫ番号は、受信できたところまでのシーケンス番号を示す。データオフセットはＴＣＰフレーム２ｂのＩＳＤＮインタフェース情報の開始位置を示す。予約は、予備領域である。フラグは、ＴＣＰヘッダ１ａの他のフィールドの有効性やコネクション制御を行うために使用され、フラグを有効にする場合には１、無効にする場合には０に設定される。
【００４２】
フラグには、緊急データを含んでいることを示し、優先送信を要求するＵＲＧ、ＡＣＫ番号フィールドが有効であることを示すＡＣＫ、ＴＣＰフレーム２ｂをアプリケーション層に直ちに渡すよう促すために使用するＰＳＨ、コネクションの強制切断を要求するＲＳＴ、シーケンス番号の同期を要求するＳＹＮ、送信終了を要求するＦＩＮがある。ウィンドウサイズは、相手からの応答確認なしに連続して送信できるバイト数を表す。ヘッダチェックサムは、ＴＣＰフレーム２ｂの誤り検出に用いる。緊急ポインタは、緊急データがウィンドウ中で終了する位置を示す。オプションは、ＴＣＰのオプション機能を指定する。
【００４３】
ＴＣＰ部１１ｅは、ＴＣＰヘッダ１ａの送信元ポート番号、送信先ポート番号に、回線交換通信により送受信する情報であることを示す特定のポート番号（以下、「回線交換ポート番号」という）を設定する。回線交換ポート番号は、ウェルノウンポート（Ｗｅｌｌ−Ｋｎｏｗｎ  Ｐｏｒｔ）と呼ばれる予め代表的なサービスに割り当てられ、予約されているポート番号以外のポート番号を固定的に割り当てて、用いることができる。本実施形態では、ポート番号「１０２４」を回線交換ポート番号として用いる。又、ＴＣＰ部１１ｅは、フラグ、送信元ポート番号、送信先ポート番号を用いて、優先して送信すべき情報であることを設定してもよい。ＴＣＰ部１１ｅは、作成したＴＣＰフレームをＩＰ部１１ｆに入力する。
【００４４】
ＩＰ部１１ｆは、ＩＰに従って処理を行う。ＩＰ部１１ｆは、図３に示すように、ＴＣＰ部１１ｅから取得したＴＣＰフレーム２ｂに、２０バイトのＩＰヘッダ２ａを付加してＩＰフレーム３ｂを作成する。ＩＰ部１１ｆは、作成したＩＰフレーム３ｂをＰＰＰ部１１ｇに入力する。
【００４５】
ＰＰＰ部１１ｇは、ＰＰＰ（Ｐｏｉｎｔ  ｔｏ  Ｐｏｉｎｔ  Ｐｒｏｔｏｃｏｌ）と呼ばれるデータリンク層のプロトコルに従って処理を行う。ＰＰＰは、広域通信網で標準的に使用されており、２つのノード間で使う１対１通信用のプロトコルである。例えば、２つのパーソナルコンピュータ間などで使用される。ＰＰＰ部１１ｇは、ＩＰ部１１ｆから取得したＩＰフレーム３ｂに、２バイトのＰＰＰ識別子３ａを付加してＰＰＰフレーム４ｂを作成する。ＰＰＰ部１１ｇは、作成したＰＰＰフレーム４ｂをＰＰＰｏＥ部１１ｈに入力する。
【００４６】
ＰＰＰｏＥ部１１ｈは、ＰＰＰｏＥ（ＰＰＰ  Ｏｖｅｒ  Ｅｔｈｅｒｎｅｔ）と呼ばれるデータリンク層のプロトコルに従って処理を行う。ＰＰＰｏＥは、ＰＰＰの機能をイーサネット（Ｅｔｈｅｒｎｅｔ：登録商標）などの常時接続環境で実現するためのプロトコルであり、ＩＥＴＦ（Ｉｎｔｅｒｎｅｔ  Ｅｎｇｉｎｅｅｒｉｎｇ  Ｔａｓｋ  Ｆｏｒｃｅ）によりＲＦＣ（Ｒｅｑｕｅｓｔ  Ｆｏｒ  Ｃｏｍｍｅｎｔｓ）２５１６として標準化されている。ＰＰＰｏＥを使用することにより、ＰＰＰｏＥ部１１ｈは、ＰＰＰのセッション毎に接続相手先を変更したり、ＰＰＰの特徴である認証やＩＰＣＰを使用したりできる。
【００４７】
ＰＰＰｏＥ部１１ｈは、ＰＰＰ部１１ｇから取得したＰＰＰフレーム４ｂに、６バイトのＰＰＰｏＥヘッダ４ａを付加してＰＰＰｏＥフレーム５ｂを作成する。ＰＰＰｏＥフレーム５ｂは、１５００バイト以下である。ＰＰＰｏＥ部１１ｈは、作成したＰＰＰｏＥフレーム５ｂをイーサネット部１１ｉに入力する。
【００４８】
イーサネット部１１ｉは、ＰＰＰｏＥ部１１ｈから取得したＰＰＰｏＥフレーム５ｂに、１４バイトのイーサネットヘッダ５ａと、４バイトのチェックサム５ｃとを付加してイーサネットフレーム６ｂを作成する。イーサネット部１１ｉは、作成したイーサネットフレーム６ｂをブリッジ１１ｊに入力する。イーサネットヘッダ５ａは、送信先ＭＡＣ（Ｍｅｄｉａ  Ａｃｃｅｓｓ  Ｃｏｎｔｒｏｌ）アドレスと、送信元ＭＡＣアドレスと、ＥＴＨＥＲＴＹＰＥとを含む。尚、データフレーム１ｂに格納するＩＳＤＮインタフェース情報のデータ長が予め定められているため、イーサネットフレーム６ｂに格納するＩＳＤＮインタフェース情報のデータ長も予め定められていることになる。
【００４９】
ブリッジ１１ｊは、イーサネット部１１ｉから取得したイーサネットフレーム６ｂに、８バイトのブリッジヘッダ６ａを付加して、ブリッジフレーム７ａを作成する。ブリッジ１１ｊは、作成したブリッジフレーム７ａをＡＡＬ部１１ｋに入力する。
【００５０】
ＡＡＬ部１１ｋは、ＡＡＬ（ＡＴＭ  Ａｄａｐｔａｔｉｏｎ  Ｌａｙｅｒ：ＡＴＭ適合層）における処理を行う。ＡＡＬ部１１ｋは、ブリッジ１１ｊからブリッジフレーム７ａを取得する。ＡＡＬ部１１ｋは、取得したブリッジフレーム７ａに対して、５バイトのＡＴＭヘッダ、４８バイトのデータ部から構成されるＡＴＭセルを作成するための処理を行う。具体的には、ＡＡＬ部１１ｋは、ブリッジフレーム７ａに８〜５５バイトのＡＡＬのトレイラ７ｂを付加して、４８バイトの整数倍に整えた情報フレーム８を作成する。
【００５１】
次に、ＡＡＬ部１１ｋは、情報フレーム８を４８バイト毎に分割するセグメント化を行う。ＡＡＬ部１１ｋは、セグメント化により得た複数の４８バイトのデータ部９ｂを、ＡＴＭ部１１ｌに入力する。このように、ＡＡＬ部１１ｋは、上位層からくる情報に対してＡＴＭセルを作成するための処理を行う。
【００５２】
ＡＴＭ部１１ｌは、ＡＴＭセルを作成する。ＡＴＭ部１１ｌは、ＡＡＬ部１１ｋから取得した４８バイトのデータ部９ｂに、５バイトのＡＴＭヘッダ９ａを付加して、ＡＴＭセルを作成する。ＡＴＭ部１１ｌは、ＩＳＤＮインタフェース情報から作成したＡＴＭセルを、光電気変換モジュール１１ｍに入力する。
【００５３】
光電気変換モジュール１１ｍは、光ファイバーケーブル２０と接続する光ファイバーケーブル２０との光インタフェース部である。光電気変換モジュール１１ｍは、電気信号を光信号に変換したり、光信号を電気信号に変換したりするＥ／Ｏ変換を行う。光電気変換モジュール１１ｍは、電気信号のＡＴＭセルを、光信号のＡＴＭセルに変換して、光ファイバーケーブル２０に送出する。このようにして、光電気変換モジュール１１ｍは、光ファイバーケーブル２０を介して、ＩＳＤＮインタフェース情報をＡＴＭセルとして局内通信変換装置３１に送信する。
【００５４】
次に、宅内通信変換装置１１が回線交換通信により情報を受信した場合について説明する。光電気変換モジュール１１ｍは、光ファイバーケーブル２０を介して、局内通信変換装置３１からＩＳＤＮインタフェース情報をＡＴＭセルとして受信する。光電気変換モジュール１１ｍは、光信号のＡＴＭセルを、電気信号のＡＴＭセルに変換して、ＡＴＭ部１１ｌに入力する。
【００５５】
ＡＴＭ部１１ｌは、取得したＡＴＭセルのＡＴＭヘッダ９ａを破棄し、データ部９ｂを取り出して、ＡＡＬ部１１ｋに入力する。ＡＡＬ部１１ｋは、取得したデータ部９ｂを元の情報フレーム８に復元する。ＡＡＬ部１１ｋは、復元した情報フレーム８のＡＡＬのトレイラ７ｂを破棄し、ブリッジフレーム７ａを取り出して、ブリッジ１１ｊに入力する。ブリッジ１１ｊは、ブリッジフレーム７ａのブリッジヘッダ６ａを破棄し、イーサネットフレーム６ｂを取り出して、イーサネット部１１ｉに入力する。イーサネット部１１ｉは、イーサネットフレーム６ｂのイーサネットヘッダ５ａを破棄し、ＰＰＰｏＥフレー５ｂを取り出して、ＰＰＰｏＥ部１１ｈに入力する。ＰＰＰｏＥ部１１ｈは、ＰＰＰｏＥフレーム５ｂのＰＰＰｏＥヘッダ４ａを破棄し、ＰＰＰフレーム４ｂを取り出して、ＰＰＰ部１１ｇに入力する。ＰＰＰ部１１ｇは、ＰＰＰフレーム４ｂのＰＰＰ識別子を破棄し、ＩＰフレーム３ｂを取り出して、ＩＰ部１１ｆに入力する。ＩＰ部１１ｆは、ＩＰフレーム３ｂのＩＰヘッダ２ａを破棄し、ＴＣＰフレーム２ｂを取り出して、ＴＣＰ部１１ｅに入力する。
【００５６】
ＴＣＰ部１１ｅは、取得したＴＣＰフレーム２ｂのＴＣＰヘッダ１ａに基づいて、ＴＣＰフレーム２ｂに含まれる情報の提供先を判断する。具体的には、ＴＣＰ部１１ｅは、ＴＣＰヘッダ１ａの送信先ポート番号「１０２４」を解読し、回線交換ポート番号であると判断する。そして、ＴＣＰ部１１ｅは、ＴＣＰフレーム２ｂに含まれる情報は、回線交換通信により送受信するＩＳＤＮインタフェース情報であると判断する。その結果、ＴＣＰ部１１ｅは、ＴＣＰフレーム２ｂに含まれるＩＳＤＮインタフェース情報の提供先を、Ｕ点ポート１１ａに決定する。ＴＣＰ部１１ｅは、ＴＣＰフレーム２ｂのＴＣＰヘッダ１ａを破棄して、ＩＳＤＮインタフェース情報を取り出し、Ｕ点制御部１１ｃに入力する。このとき、ＴＣＰ部１１ｅは、フラグ、送信先ポート番号、送信元ポート番号に基づいて、優先して送信すべき情報を判断してもよい。ＴＣＰ部１１ｅは、優先すべきであると判断した情報を優先して、Ｕ点制御部１１ｃに入力する。
【００５７】
Ｕ点制御部１１ｃは、ＴＣＰ部１１ｅからＩＳＤＮインタフェース情報を取得し、Ｕ点ポート１１ａに提供する。Ｕ点制御部１１ｃは、ＩＳＤＮインタフェース情報を、ＩＳＤＮインタフェース情報を含むＩＳＤＮフレームとして、Ｕ点ポート１１ａに提供する。Ｕ点ポート１１ａは、Ｕ点制御部１１ｃから取得したＩＳＤＮフレームを、ＩＳＤＮ端末装置１２に入力する。例えば、Ｕ点ポート１１ａは、３２０ｋｂｐｓの速度でＩＳＤＮフレームを、ＩＳＤＮ端末１２に入力する。このようにして、ＩＳＤＮ６０を用いた回線交換通信による情報の送受信が可能となる。
【００５８】
次に、宅内通信変換装置１１が、パケット交換通信により情報を送信する場合について説明する。イーサネットインタフェースポート１１ｂは、パケット交換通信を行う端末装置１３と接続する端末パケット交換インタフェース部である。イーサネットインタフェースポート１１ｂにより、宅内通信変換装置１１は、端末装置１３の接続インタフェースであるイーサネットインタフェース部を持つ端末装置１３と接続できる。
【００５９】
イーサネットインタフェースポート１１ｂは、端末装置１３から、ＩＰ網３２，４２，５２を用いたパケット交換通信により送受信する情報（以下、「イーサネットインタフェース情報」という）を取得する。例えば、１００Ｍｂｐｓの速度でイーサネットインタフェース情報が、イーサネットインタフェースポート１１ｂに入力される。イーサネットインタフェースポート１１ｂは、端末装置１３から取得したイーサネットインタフェース情報を、イーサネット制御部１１ｄに入力する。イーサネット制御部１１ｄは、イーサネットインタフェースポート１１ｂからイーサネットインタフェース情報を取得し、ＴＣＰ部１１ｅに入力する。
【００６０】
ＴＣＰ部１１ｅは、イーサネット制御部１１ｄから取得したイーサネットインタフェース情報から、ＴＣＰフレーム２ｂを作成する。具体的には、図３に示すように、ＴＣＰ部１１ｅは、まず、取得したイーサネットインタフェース情報を、データフレーム１ｂに格納する。ＴＣＰ部１１ｅは、イーサネットインタフェース情報を３７７ビットずつに分ける。そして、ＴＣＰ部１１ｅは、データフレーム１ｂのデータ長が１４５２バイト以下となるように、３７７ビットのイーサネットインタフェース情報をｎ個格納する。このように、データフレーム１ｂに格納するイーサネットインタフェース情報のデータ長は、予め定められている。
【００６１】
次に、ＴＣＰ部１１ｅは、データフレーム１ｂにＴＣＰヘッダ１ａを付加し、ＴＣＰフレーム２ｂを作成する。ＴＣＰ部１１ｅは、ＴＣＰヘッダ１ａの送信元ポート番号、送信先ポート番号に、パケット交換通信により送受信する情報であることを示す特定のポート番号（以下、「パケット交換ポート番号」という）を設定する。パケット交換ポート番号は、ウェルノウンポート以外のポート番号を固定的に割り当てて、用いることができる。本実施形態では、ポート番号「１０２５」をパケット交換ポート番号として用いる。又、ＴＣＰ部１１ｅは、フラグ、送信元ポート番号、送信先ポート番号を用いて、優先して送信すべき情報であることを設定してもよい。ＴＣＰ部１１ｅは、作成したＴＣＰフレーム２ｂを、ＩＰ部１１ｆに入力する。
【００６２】
ＩＰ部１１ｆ、ＰＰＰ部１１ｇ、ＰＰＰｏＥ部１１ｈ、イーサネット部１１ｉ、  ブリッジ１１ｊ、ＡＡＬ部１１ｋ、ＡＴＭ部１１ｌ、光電気変換モジュール１１ｍは、ＩＳＤＮインタフェース情報を送信する場合と同様の処理を行う。ＩＰ部１１ｆが、イーサネットインタフェース情報を含むＴＣＰフレーム２ｂに、ＩＰヘッダ２ａを付加し、ＰＰＰ部１１ｇが、ＰＰＰ識別子３ａを付加する。更に、ＰＰＰｏＥ部１１ｈが、ＰＰＰｏＥヘッダ４ａを付加し、イーサネット部１１ｉが、イーサネットヘッダ５ａとチェックサム５ｃを付加して、イーサネットフレーム６ｂを作成する。尚、データフレーム１ｂに格納するイーサネットインタフェース情報のデータ長が予め定められているため、イーサネットフレーム６ｂに格納するイーサネットインタフェース情報のデータ長も予め定められていることになる。
【００６３】
そして、ブリッジ１１ｊが、ブリッジヘッダ６ａを付加し、ＡＡＬ部１１ｋが、ＡＡＬのトレイラ７ｂを付加して、４８バイトの整数倍に整えた情報フレーム８を作成する。更に、ＡＡＬ部１１ｋは、情報フレーム８を４８バイトのデータ部９ｂに分割する。ＡＴＭ部１１ｌは、データ部９ｂにヘッダ９ａを付加してＡＴＭセルを作成する。ＡＴＭ部１１ｌは、イーサネットインタフェース情報から作成したＡＴＭセルを、光電気変換モジュール１１ｍに入力する。最後に、光電気変換モジュール１１ｍが、電気信号のＡＴＭセルを、光信号のＡＴＭセルに変換して、光ファイバーケーブル２０に送出する。このようにして、光電気変換モジュール１１ｍは、光ファイバーケーブル２０を介して、イーサネットインタフェース情報をＡＴＭセルとして局内通信変換装置３１に送信する。
【００６４】
次に、宅内通信変換装置１１がパケット交換通信により情報を受信した場合にについて説明する。光電気変換モジュール１１ｍは、光ファイバーケーブル２０を介して、局内通信変換装置３１からイーサネットインタフェース情報をＡＴＭセルとして受信する。光電気変換モジュール１１ｍは、光信号のＡＴＭセルを、電気信号のＡＴＭセルに変換して、ＡＴＭ部１１ｌに入力する。
【００６５】
ＡＴＭ部１１ｌは、取得したＡＴＭセルからデータ部９ｂを取り出して、ＡＡＬ部１１ｋに入力する。ＡＡＬ部１１ｋは、取得したデータ部９ｂを元の情報フレーム８に復元する。ＡＡＬ部１１ｋは、復元した情報フレーム８からブリッジフレーム７ａを取り出して、ブリッジ１１ｊに入力する。ブリッジ１１ｊは、ブリッジフレーム７ａからイーサネットフレーム６ｂを取り出して、イーサネット部１１ｉに入力する。イーサネット部１１ｉは、イーサネットフレーム６ｂからＰＰＰｏＥフレー５ｂを取り出して、ＰＰＰｏＥ部１１ｈに入力する。ＰＰＰｏＥ部１１ｈは、ＰＰＰｏＥフレーム５ｂからＰＰＰフレーム４ｂを取り出して、ＰＰＰ部１１ｇに入力する。ＰＰＰ部１１ｇは、ＰＰＰフレーム４ｂからＩＰフレーム３ｂを取り出して、ＩＰ部１１ｆに入力する。ＩＰ部１１ｆは、ＩＰフレーム３ｂからＴＣＰフレーム２ｂを取り出して、ＴＣＰ部１１ｅに入力する。
【００６６】
ＴＣＰ部１１ｅは、取得したＴＣＰフレーム２ｂのＴＣＰヘッダ１ａに基づいて、ＴＣＰフレーム２ｂに含まれる情報の提供先を判断する。具体的には、ＴＣＰ部１１ｅは、ＴＣＰヘッダ１ａの送信先ポート番号「１０２５」を解読して、パケット交換ポート番号であると判断する。そして、ＴＣＰ部１１ｅは、ＴＣＰフレーム２ｂに含まれる情報は、パケット交換通信により送受信するイーサネットインタフェース情報であると判断する。その結果、ＴＣＰ部１１ｅは、ＴＣＰフレーム２ｂに含まれるイーサネットインタフェース情報の提供先を、イーサネットインタフェースポート１１ｂに決定する。
【００６７】
ＴＣＰ部１１ｅは、ＴＣＰフレーム２ｂのＴＣＰヘッダ１ａを破棄して、イーサネットインタフェース情報を取り出し、イーサネット制御部１１ｄに入力する。このとき、ＴＣＰ部１１ｅは、フラグ、送信先ポート番号、送信元ポート番号に基づいて、優先して送信すべき情報を判断してもよい。ＴＣＰ部１１ｅは、優先すべきであると判断した情報を優先して、イーサネット制御部１１ｄに入力する。
【００６８】
イーサネット制御部１１ｄは、ＴＣＰ部１１ｅからイーサネットインタフェース情報を取得し、イーサネットインタフェースポート１１ｂに提供する。イーサネットインタフェースポート１１ｂは、イーサネット制御部１１ｄから取得したイーサネットインタフェース情報を、端末装置１３に入力する。例えば、イーサネットポート１１ｂは、１００Ｍｂｐｓの速度でイーサネットインタフェース情報を、端末装置１３に入力する。このようにして、ＩＰ網３２，４２，５２を用いたパケット交換通信による情報の送受信が可能となる。
【００６９】
（局内通信変換装置）
局内通信変換装置３１は、宅内通信変換装置１１と光ファイバーケーブル２０を介して情報を送受信する網通信変換装置である。局内通信変換装置３１は、Ｕ点ポート３１ａと、イーサネットインタフェースポート３１ｂと、Ｕ点制御部３１ｃと、イーサネット制御部３１ｄと、ＴＣＰ部３１ｅと、ＩＰ部３１ｆと、ＰＰＰ部３１ｇと、ＰＰＰｏＥ部３１ｈと、イーサネット部３１ｉと、ブリッジ３１ｊと、ＡＡＬ部３１ｋと、ＡＴＭ部３１ｌと、光電気変換モジュール３１ｍとを備える。
【００７０】
まず、局内通信変換装置３１が回線交換通信による情報を送信する場合について説明する。Ｕ点ポート３１ａは、回線交換通信を行うＩＳＤＮ６０と接続する網回線交換インタフェース部である。Ｕ点ポート３１ａにより、局内通信変換装置３１は、ＩＳＤＮ６０と相互接続できる。Ｕ点ポート３１ａは、ＩＳＤＮ６０内のＩＳＤＮ交換機６１と接続する。
【００７１】
Ｕ点ポート３１ａは、ＩＳＤＮ交換機６１からＩＳＤＮインタフェース情報を取得する。Ｕ点ポート３１ａは、ＩＳＤＮインタフェース情報を、ＩＳＤＮインタフェース情報を含むＩＳＤＮフレームとして取得する。例えば、３２０ｋｂｐｓの速度でＩＳＤＮフレームが、Ｕ点ポート３１ａに入力される。Ｕ点ポート３１ａは、ＩＳＤＮ交換機６１から取得したＩＳＤＮフレームを、Ｕ点制御部３１ｃに入力する。
【００７２】
Ｕ点制御部３１ｃは、Ｕ点ポート３１ａからＩＳＤＮフレームを取得する。Ｕ点制御部３１ｃは、取得したＩＳＤＮフレームに含まれるＩＳＤＮインタフェース情報を、ＴＣＰ部３１ｅに入力する。ＴＣＰ部３１ｅは、ＴＣＰに従って処理を行う。ＴＣＰ部３１ｅは、Ｕ点制御部３１ｃから取得したＩＳＤＮインタフェース情報から、ＴＣＰフレームを作成する。
【００７３】
具体的には、図３に示すように、ＴＣＰ部３１ｅは、まず、取得したＩＳＤＮインタフェース情報をデータフレーム１ｂに格納する。ＴＣＰ部３１ｅは、ＩＳＤＮインタフェース情報を３７７ビットずつに分ける。そして、ＴＣＰ部３１ｅは、データフレーム１ｂのデータ長が１４５２バイト以下となるように、３７７ビットのＩＳＤＮインタフェース情報をｎ個格納する。このように、データフレーム１ｂに格納するＩＳＤＮインタフェース情報のデータ長は、予め定められている。
【００７４】
次に、ＴＣＰ部３１ｅは、データフレーム１ｂにＴＣＰヘッダ１ａを付加し、ＴＣＰフレーム２ｂを作成する。ＴＣＰ部３１ｅは、ＴＣＰヘッダ１ａの送信元ポート番号、送信先ポート番号に、回線交換ポート番号「１０２４」を設定する。又、ＴＣＰ部３１ｅは、フラグ、送信元ポート番号、送信先ポート番号を用いて、優先して送信すべき情報であることを設定してもよい。ＴＣＰ部１１ｅは、作成したＴＣＰフレームをＩＰ部３１ｆに入力する。
【００７５】
ＩＰ部３１ｆ、ＰＰＰ部３１ｇ、ＰＰＰｏＥ部３１ｈ、イーサネット部３１ｉ、  ブリッジ３１ｊ、ＡＡＬ部３１ｋ、ＡＴＭ部３１ｌは、宅内通信変換装置１１の  ＩＰ部１１ｆ、ＰＰＰ部１１ｇ、ＰＰＰｏＥ部１１ｈ、イーサネット部１１ｉ、  ブリッジ１１ｊ、ＡＡＬ部１１ｋ、ＡＴＭ部１１ｌが、ＩＳＤＮインタフェース情報を送信する場合と同様の処理を行う。
【００７６】
ＡＴＭ部３１ｌは、ＩＳＤＮインタフェース情報から作成したＡＴＭセルを、光電気変換モジュール３１ｍに入力する。光電気変換モジュール３１ｍは、光ファイバーケーブル２０と接続する光ファイバーケーブル２０との光インタフェース部である。光電気変換モジュール３１ｍは、電気信号のＡＴＭセルを、光信号のＡＴＭセルに変換して、光ファイバーケーブル２０に送出する。このようにして、光電気変換モジュール３１ｍは、光ファイバーケーブル２０を介して、ＩＳＤＮインタフェース情報をＡＴＭセルとして宅内通信変換装置１１に送信する。
【００７７】
次に、局内通信変換装置３１が回線交換通信により情報を受信した場合について説明する。光電気変換モジュール３１ｍは、光ファイバーケーブル２０を介して、宅内通信変換装置１１からＩＳＤＮインタフェース情報をＡＴＭセルとして受信する。光電気変換モジュール３１ｍは、光信号のＡＴＭセルを、電気信号のＡＴＭセルに変換して、ＡＴＭ部３１ｌに入力する。
【００７８】
ＡＴＭ部３１ｌ、ＡＡＬ部３１ｋ、ブリッジ３１ｊ、イーサネット部３１ｉ、ＰＰＰｏＥ部３１ｈ、ＰＰＰ部３１ｇ、ＩＰ部３１ｆは、宅内通信変換装置１１のＡＴＭ部１１ｌ、ＡＡＬ部１１ｋ、ブリッジ１１ｊ、イーサネット部１１ｉ、ＰＰＰｏＥ部１１ｈ、ＰＰＰ部１１ｇ、ＩＰ部１１ｆが、ＩＳＤＮインタフェース情報を受信した場合と同様の処理を行う。
【００７９】
ＴＣＰ部３１ｅは、取得したＴＣＰフレーム２ｂのＴＣＰヘッダ１ａに基づいて、ＴＣＰフレーム２ｂに含まれる情報の提供先を判断する。具体的には、ＴＣＰ部３１ｅは、ＴＣＰヘッダ１ａの送信先ポート番号「１０２４」を解読して、回線交換ポート番号であると判断する。そして、ＴＣＰ部３１ｅは、ＴＣＰフレーム２ｂに含まれる情報は、回線交換通信により送受信するＩＳＤＮインタフェース情報であると判断する。その結果、ＴＣＰ部３１ｅは、ＴＣＰフレーム２ｂに含まれるＩＳＤＮインタフェース情報の提供先を、Ｕ点ポート３１ａに決定する。ＴＣＰ部３１ｅは、ＴＣＰフレーム２ｂのＴＣＰヘッダ１ａを破棄して、ＩＳＤＮインタフェース情報を取り出し、Ｕ点制御部３１ｃに入力する。又、ＴＣＰ部３１ｅは、フラグ、送信先ポート番号、送信元ポート番号に基づいて、優先して送信すべき情報を判断してもよい。ＴＣＰ部３１ｅは、優先すべきであると判断した情報を優先して、Ｕ点制御部３１ｃに入力する。
【００８０】
Ｕ点制御部３１ｃは、ＴＣＰ部３１ｅからＩＳＤＮインタフェース情報を取得し、Ｕ点ポート３１ａに提供する。Ｕ点制御部３１ｃは、ＩＳＤＮインタフェース情報を、ＩＳＤＮインタフェース情報を含むＩＳＤＮフレームとして、Ｕ点ポート３１ａに提供する。Ｕ点ポート３１ａは、Ｕ点制御部３１ｃから取得したＩＳＤＮフレームを、ＩＳＤＮ交換機６１に入力する。例えば、Ｕ点ポート３１ａは、３２０ｋｂｐｓの速度でＩＳＤＮフレームを、ＩＳＤＮ交換機６１に入力する。このようにして、ＩＳＤＮ交換機６１を介してＩＳＤＮ６０に、宅内通信変換装置１１から送信されたＩＳＤＮインタフェース情報が送出される。
【００８１】
次に、局内通信変換装置３１が、パケット交換通信により情報を送信する場合について説明する。イーサネットインタフェースポート３１ｂは、パケット交換通信を行うＩＰ網３２と接続する網パケット交換インタフェース部である。イーサネットインタフェースポート３１ｂにより、局内通信変換装置３１は、ＩＰ網３２と接続できる。
【００８２】
イーサネットインタフェースポート３１ｂは、ＩＰ網３２からイーサネットインタフェース情報を取得する。例えば、１００Ｍｂｐｓの速度でイーサネットインタフェース情報が、イーサネットインタフェースポート１１ｂに入力される。イーサネットインタフェースポート３１ｂは、ＩＰ網３２から取得したイーサネットインタフェース情報を、イーサネット制御部３１ｄに入力する。イーサネット制御部３１ｄは、イーサネットインタフェースポート３１ｂからイーサネットインタフェース情報を取得し、ＴＣＰ部３１ｅに入力する。
【００８３】
ＴＣＰ部３１ｅは、イーサネット制御部３１ｄから取得したイーサネットインタフェース情報から、ＴＣＰフレームを作成する。具体的には、図３に示すように、ＴＣＰ部３１ｅは、まず、取得したイーサネットインタフェース情報を、データフレーム１ｂに格納する。ＴＣＰ部３１ｅは、イーサネットインタフェース情報を、３７７ビットずつに分ける。そして、ＴＣＰ部３１ｅは、データフレーム１ｂのデータ長が１４５２バイト以下となるように、３７７ビットのイーサネットインタフェース情報をｎ個格納する。このように、データフレーム１ｂに格納するイーサネットインタフェース情報のデータ長は、予め定められている。
【００８４】
次に、ＴＣＰ部３１ｅは、データフレーム１ｂにＴＣＰヘッダ１ａを付加し、ＴＣＰフレーム２ｂを作成する。ＴＣＰ部３１ｅは、ＴＣＰヘッダ１ａの送信元ポート番号、送信先ポート番号に、パケット交換ポート番号「１０２５」を設定する。又、ＴＣＰ部３１ｅは、フラグ、送信元ポート番号、送信先ポート番号を用いて、優先して送信すべき情報であることを設定してもよい。
【００８５】
ＩＰ部３１ｆ、ＰＰＰ部３１ｇ、ＰＰＰｏＥ部３１ｈ、イーサネット部３１ｉ、  ブリッジ３１ｊ、ＡＡＬ部３１ｋ、ＡＴＭ部３１ｌは、宅内通信変換装置１１の  ＩＰ部１１ｆ、ＰＰＰ部１１ｇ、ＰＰＰｏＥ部１１ｈ、イーサネット部１１ｉ、  ブリッジ１１ｊ、ＡＡＬ部１１ｋ、ＡＴＭ部１１ｌが、イーサネットインタフェース情報を送信する場合と同様の処理を行う。
【００８６】
ＡＴＭ部３１ｌは、イーサネットインタフェース情報から作成したＡＴＭセルを、光電気変換モジュール３１ｍに入力する。光電気変換モジュール３１ｍは、電気信号のＡＴＭセルを、光信号のＡＴＭセルに変換して、光ファイバーケーブル２０に送出する。このようにして、光電気変換モジュール３１ｍは、光ファイバーケーブル２０を介して、イーサネットインタフェース情報をＡＴＭセルとして宅内通信変換装置１１に送信する。
【００８７】
次に、局内通信変換装置３１が、パケット交換通信により情報を受信した場合について説明する。光電気変換モジュール３１ｍは、光ファイバーケーブル２０を介して、宅内通信変換装置１１からイーサネットインタフェース情報をＡＴＭセルとして受信する。光電気変換モジュール３１ｍは、光信号のＡＴＭセルを、電気信号のＡＴＭセルに変換して、ＡＴＭ部３１ｌに入力する。
【００８８】
ＡＴＭ部３１ｌ、ＡＡＬ部３１ｋ、ブリッジ３１ｊ、イーサネット部３１ｉ、ＰＰＰｏＥ部３１ｈ、ＰＰＰ部３１ｇ、ＩＰ部３１ｆは、宅内通信変換装置１１のＡＴＭ部１１ｌ、ＡＡＬ部１１ｋ、ブリッジ１１ｊ、イーサネット部１１ｉ、ＰＰＰｏＥ部１１ｈ、ＰＰＰ部１１ｇ、ＩＰ部１１ｆが、イーサネットインタフェース情報を受信した場合と同様の処理を行う。
【００８９】
ＴＣＰ部３１ｅは、取得したＴＣＰフレーム２ｂのＴＣＰヘッダ１ａに基づいて、ＴＣＰフレーム２ｂに含まれる情報の提供先を判断する。具体的には、ＴＣＰ部３１ｅは、ＴＣＰヘッダ１ａの送信先ポート番号「１０２５」を解読して、回線交換ポート番号であると判断する。そして、ＴＣＰ部３１ｅは、ＴＣＰフレーム２ｂに含まれる情報は、パケット交換通信により送受信するイーサネットインタフェース情報であると判断する。その結果、ＴＣＰ部３１ｅは、ＴＣＰフレーム２ｂに含まれるイーサネットインタフェース情報の提供先を、イーサネットインタフェースポート３１ｂに決定する。
【００９０】
ＴＣＰ部３１ｅは、ＴＣＰフレーム２ｂのＴＣＰヘッダ１ａを破棄して、イーサネットインタフェース情報を取り出し、イーサネット制御部３１ｄに入力する。又、ＴＣＰ部３１ｅは、フラグ、送信先ポート番号、送信元ポート番号に基づいて、優先して送信すべき情報を判断してもよい。ＴＣＰ部３１ｅは、優先すべきであると判断した情報を優先して、イーサネット制御部３１ｄに入力する。
【００９１】
イーサネット制御部３１ｄは、ＴＣＰ部３１ｅからイーサネットインタフェース情報を取得し、イーサネットインタフェースポート３１ｂに提供する。イーサネットインタフェースポート３１ｂは、イーサネット制御部３１ｄから取得したイーサネットインタフェース情報を、ＩＰ網３２に送信する。例えば、イーサネットインタフェーポート３１ｂは、１００Ｍｂｐｓの速度でイーサネットインタフェース情報を、ＩＰ網３２に送信する。このようにして、ＩＰ網３２に、宅内通信変換装置１１から送信されたイーサネットインタフェース情報が送出される。
【００９２】
このように、宅内通信変換装置１１、局内通信変換装置３１では、光電気変換モジュール１１ｍ，３１ｍが、光ファイバーケーブル２０を介してＩＳＤＮインタフェース情報、イーサネットインタフェース情報を、ＡＴＭセルとして送受信する端末送受信部、網送受信部として機能する。
【００９３】
又、宅内通信変換装置１１、局内通信変換装置３１では、Ｕ点制御部１１ｃ，３１ｃ、イーサネット制御部１１ｄ，３１ｄ、ＴＣＰ部１１ｅ，３１ｅ、ＩＰ部１１ｆ，３１ｆ、ＰＰＰ部１１ｇ，３１ｇ、ＰＰＰｏＥ部１１ｈ，３１ｈ、イーサネット部１１ｉ，３１ｉ、ブリッジ１１ｊ，３１ｊ、ＡＡＬ部１１ｋ，３１ｋ、ＡＴＭ部１１ｌ，３１ｌが、光電気変換モジュール１１ｍ，３１ｍが送信する情報を、Ｕ点ポート１１ａ，３１ａ及びイーサネットインタフェースポート１１ｂ，３１ｂから取得し、光電気変換モジュール１１ｍ，３１ｍが受信した情報を、Ｕ点ポート１１ａ，３１ａ及びイーサネットインタフェースポート１１ｂ，３１ｂに分けて提供する端末制御部、網制御部として機能する。
【００９４】
そして、この網制御部が、光電気変換モジュール３１ｍが光ファイバーケーブル２０を介して宅内通信変換装置１１に送信する情報を、Ｕ点ポート３１ａ、イーサネットインタフェースポート３１ｂを介して、それぞれＩＳＤＮ６０、ＩＰ網３２から取得できる。又、網制御部が、光電気変換モジュール３１ｍが宅内通信変換装置１１から光ファイバーケーブル２０を介して受信した情報を、ＩＳＤＮ６０に送信するものと、ＩＰ網３２に送信するものとに分けて、Ｕ点ポート３１ａ、イーサネットインタフェースポート３１ｂを介して、ＩＳＤＮ６０、ＩＰ網３２に提供できる。即ち、網制御部は、ＩＳＤＮ６０に送信するものは、ＩＰ網３２に入り込まないように、又、ＩＰ網３２に送信するものは、ＩＳＤＮ６０に入り込まないようにできる。
【００９５】
又、この端末制御部が、光電気変換モジュール１１ｍが光ファイバーケーブル２０を介して局内通信変換装置３１に送信する情報を、Ｕ点ポート１１ａ、イーサネットインタフェースポート１１ｂを介して、それぞれＩＳＤＮ端末装置１２、端末装置１３から取得できる。又、端末制御部が、光電気変換モジュール１１ｍが光ファイバーケーブル２０を介して局内通信変換装置３１から受信した情報を、Ｕ点ポート１１ａ、イーサネットインタフェースポート１１ｂを介してＩＳＤＮ端末装置１２、端末装置１３に分けて提供できる。
【００９６】
更に、ＴＣＰ部１１ｅ，３１ｅが、回線交換ポート番号又はパケット交換ポート番号を、回線交換通信又はパケット交換通信いずれにより送受信する情報であるかを示す制御データとして用いる。そして、ＴＣＰ部１１ｅ，３１ｅが、回線交換ポート番号又はパケット交換ポート番号を設定したＴＣＰヘッダ１ａを、Ｕ点ポート１１ａ，３１ａ、イーサネットインタフェースポート１１ｂ，３１ｂから取得したＩＳＤＮインタフェース情報、イーサネットインタフェース情報に付加する。又、ＴＣＰ部１１ｅ，３１ｅが、Ｕ点ポート１１ａ，３１ａ、イーサネットインタフェースポート１１ｂ，３１ｂに提供する情報を、ＴＣＰヘッダ１ａの回線交換ポート番号又はパケット交換ポート番号に基づいて分ける。
【００９７】
このように、宅内通信変換装置１１、局内通信変換装置３１では、ＴＣＰ部１１ｅ，３１ｅが、ＴＣＰヘッダ１ａの送信先ポート番号で識別できるようにＴＣＰフレーム２ｂを組み立て、ＴＣＰヘッダ１ａの送信先ポート番号でＴＣＰフレーム２ｂを識別してから、分解し、Ｕ点制御部１１ｃ，３１ｃ又はイーサネット制御部１１ｄ，３１ｄに分けて提供する。即ち、宅内通信変換装置１１、局内通信変換装置３１では、ＴＣＰ層における制御データを情報に付加し、ＴＣＰ層における制御データに基づいて情報を分けて提供する。
【００９８】
これにより、宅内通信変換装置１１、局内通信変換装置３１は、汎用的で相互接続性に優れているＡＴＭパケット通信のプロトコルの上位層と同じＴＣＰ層における制御データを利用して、ＴＣＰ層において、回線交換通信又はパケット交換通信いずれにより送受信する情報であるかを相手に通知したり、判断して分けたりすることができる。
【００９９】
更に、ＩＰｖ４で付与できるＩＰアドレスが不足し、回線交換通信又はパケット交換通信いずれにより送受信する情報であるかを示す制御データとしてＩＰアドレスを用いることができない場合であっても、宅内通信変換装置１１、局内通信変換装置３１は、ポート番号を活用し、ＴＣＰヘッダ１ａを用いたＴＣＰ層レベルの制御により、回線交換通信又はパケット交換通信いずれにより送受信する情報であるかを相手に通知したり、判断して分けたりできる。
【０１００】
又、ＡＡＬ部１１ｋ，３１ｋ、ＡＴＭ部１１ｌ，３１ｌが、取得したＩＳＤＮインタフェース情報、イーサネットインタフェース情報からＡＴＭセルを作成する。このようにして、Ｕ点制御部１１ｃ，３１ｃ、イーサネット制御部１１ｄ，３１ｄ、ＴＣＰ部１１ｅ，３１ｅ、ＩＰ部１１ｆ，３１ｆ、ＰＰＰ部１１ｇ，３１ｇ、ＰＰＰｏＥ部１１ｈ，３１ｈ、イーサネット部１１ｉ，３１ｉ、ブリッジ１１ｊ，３１ｊ、ＡＡＬ部１１ｋ，３１ｋ、ＡＴＭ部１１ｌ，３１ｌは、情報にＴＣＰ層における制御データを付加し、ＴＣＰ層における制御データに基づいて情報を分けて提供する端末制御部、網制御部、ＡＴＭセルを作成する端末制御部、網制御部として機能できる。
【０１０１】
〔ＩＰ層における制御〕
図１に示す宅内通信変換装置１１、局内通信変換装置３１にかえて、図５に示すＩＰ層において制御を行う宅内通信変換装置１１２、局内通信変換装置３１２を用いることもできる。
【０１０２】
（宅内通信変換装置）
宅内通信変換装置１１２は、Ｕ点ポート１１ａと、イーサネットインタフェースポート１１ｂと、Ｕ点制御部１１２ｃと、イーサネット制御部１１２ｄと、ＩＰ部１１２ｆと、ＰＰＰ部１１ｇと、ＰＰＰｏＥ部１１ｈと、イーサネット部１１ｉと、ブリッジ１１ｊと、ＡＡＬ部１１ｋと、ＡＴＭ部１１ｌと、光電気変換モジュール１１ｍとを備える。尚、図５において、図２に示す宅内通信変換装置１１と同様の部分については、同一の符号を付して説明を省略する。
【０１０３】
まず、宅内通信変換装置１１２が回線交換通信により情報を送信する場合について説明する。Ｕ点制御部１１２ｃは、Ｕ点ポート１１ａからＩＳＤＮフレームを取得する。Ｕ点制御部１１２ｃは、取得したＩＳＤＮフレームに含まれるＩＳＤＮインタフェース情報を、ＩＰ部１１２ｆに入力する。ＩＰ部１１２ｆは、ＩＰに従って処理を行う。ＩＰ部１１２ｆは、Ｕ点制御部１１２ｃから取得したＩＳＤＮインタフェース情報から、ＩＰフレームを作成する。
【０１０４】
ＩＰフレーム３ｂは、ＩＰヘッダ２ａと、データ部とを含む。又、図６（ａ）、（ｂ）に示すように、ＩＰヘッダ２ａには、ＩＰｖ４のＩＰヘッダ２１と、ＩＰｖ６のＩＰヘッダ２２がある。ＩＰｖ４のＩＰヘッダ２１は、図６（ａ）に示すように、バージョン、ヘッダ長、サービスタイプ、パケット長、識別番号（Ｉｄｅｎｔｉｆｉｃａｔｉｏｎ）、フラグ、フラグメントオフセット、ＴＴＬ（Ｔｉｍｅ  Ｔｏ  Ｌｉｖｅ：生存時間）、プロトコル番号、ヘッダチェックサム、送信元ＩＰアドレス、送信先ＩＰアドレス、オプションとを含む。
【０１０５】
バージョンは、ＩＰフレーム３ｂのバージョンが４であることを表す。ヘッダ長は、ＩＰヘッダ２１の長さを表示する。サービスタイプは、ＩＰフレーム３ｂの要求するサービスの特徴を示す。サービスタイプは、ＩＰフレーム３ｂの優先順位を表すＰＲＥＣＥＤＥＮＣＥ、極力遅延させないことを要求していることを示すＤ、高スループットを要求していることを示すＴ、高信頼性を要求していることを示すＲ、コストを最小に抑えることを要求していることを示すＭ、未使用のサブフィールドに分割されている。優先順位を表すＰＲＥＣＥＤＥＮＣＥは、値が大きいほど重要性が高いことを示し、０〜７のレベルで優先順位を表す。パケット長は、ＩＰフレーム３ｂの長さを表す。
【０１０６】
識別番号（Ｉｄｅｎｔｉｆｉｃａｔｉｏｎ）は、ＩＰフレーム３ｂを識別するためのＩＤを表す。フラグは、フラグメントの可否等を表す。フラグメントオフセットは、元の情報中の位置を表す。ＴＴＬは、ＩＰフレーム３ｂがインターネット上で生存できる最大の期間を表す。ＴＴＬは、送信側がセットし、ゲートウェイを通る毎に１ずつ引かれる。ＴＴＬが０になると、そのＩＰフレーム３ｂは破棄される。プロトコル番号は、情報をどの上位プロトコルに渡すべきかを示し、情報のフォーマットを規定する。ヘッダチェックサムは、ＩＰヘッダ２１のチェックサムを表す。送信元ＩＰアドレスは、ＩＰフレーム３ｂを送信する送信元のＩＰアドレスを表し、送信先ＩＰアドレスは、ＩＰフレーム３ｂを送信する送信先のＩＰアドレスを表す。オプションは、ＩＰフレーム３ｂの送信について、特殊な処理を付加するオプションを指定する。
【０１０７】
ＩＰｖ６のＩＰヘッダ２２は、図６（ｂ）に示すように、バージョン、トラフィッククラス、フローラベル、ペイロード長、拡張ヘッダの種類、最大ホップ数、送信元ＩＰアドレス、送信先ＩＰアドレス、オプションの拡張ヘッダとを含む。バージョンは、ＩＰフレーム３ｂのバージョンが６であることを表す。トラフィッククラスは、優先制御を行うために使用され、ＩＰフレーム３ｂの優先順位等を表す。フローラベルは、トラフィック制御をＩＰ層で実現するために使用されるデータフロー用の識別子である。フローラベルは、動画やＶｏＩＰ（Ｖｏｉｃｅ  Ｏｖｅｒ  ＩＰ）等の許容遅延時間の厳しいＩＰフレーム３ｂの送信に使用される。ペイロード長は、ＩＰフレーム３ｂの長さを表す。拡張ヘッダの種類は、ＩＰヘッダ２２に続く領域を表す。
【０１０８】
最大ホップ数は、ＩＰフレーム３ｂがインターネット上で生存できる最大の期間を表す。最大ホップ数は、ＴＴＬと同様である。送信元ＩＰアドレスは、ＩＰフレーム３ｂを送信する送信元のＩＰアドレスを表し、送信先ＩＰアドレスは、ＩＰフレーム３ｂを送信する送信先のＩＰアドレスを表す。オプションの拡張ヘッダは、規定されているオプションのヘッダを表す。
【０１０９】
ＩＰ部１１２ｆは、まず、Ｕ点制御部１１２ｃから取得したＩＳＤＮインタフェース情報を、ＩＰフレーム３ｂのデータ部に格納する。尚、ＩＰフレーム３ｂのデータ部に格納するＩＳＤＮインタフェース情報のデータ長は、予め定めておく。これにより、イーサネットフレーム６ｂに格納するＩＳＤＮインタフェース情報のデータ長も予め定められていることになる。
【０１１０】
次に、ＩＰ部１１２ｆは、データ部にＩＰヘッダ２ａを付加し、ＩＰフレーム３ｂを作成する。ＩＰ部１１２ｆは、ＩＰヘッダ２ａの送信元ＩＰドレス、送信先ＩＰアドレスに、回線交換通信により送受信する情報であることを示す特定のＩＰアドレス（以下、「回線交換ＩＰアドレス」という）を設定する。回線交換ＩＰアドレスは、クラスＥと呼ばれる予約されているＩＰアドレス以外のＩＰアドレスを固定的に割り当てて、用いることができる。又、ＩＰ部１１２ｆは、サービスタイプやトラフィッククラス、送信元ＩＰアドレス、送信先ＩＰアドレスを用いて、優先して送信すべき情報であることを設定してもよい。ＩＰ部１１２ｆは、作成したＩＰフレーム３ｂをＰＰＰ部１１ｇに入力する。
【０１１１】
以降は、図５に示した宅内通信変換装置１１２も、図２に示した宅内通信変換装置１１のＰＰＰ部１１ｇ、ＰＰＰｏＥ部１１ｈ、イーサネット部１１ｉ、ブリッジ１１ｊ、ＡＡＬ部１１ｋ、ＡＴＭ部１１ｌ、光電気変換モジュール１１ｍが、ＩＳＤＮインタフェース情報を送信する場合と同様の処理を行う。
【０１１２】
次に、宅内通信変換装置１１２が回線交換通信により情報を受信した場合について説明する。ＩＳＤＮインタフェース情報を受信する場合、まず、図５に示した宅内通信変換装置１１２は、図２に示した宅内通信変換装置１１のＰＰＰ部１１ｇ、ＰＰＰｏＥ部１１ｈ、イーサネット部１１ｉ、ブリッジ１１ｊ、ＡＡＬ部１１ｋ、ＡＴＭ部１１ｌ、光電気変換モジュール１１ｍが、ＩＳＤＮインタフェース情報を受信した場合と同様の処理を行う。
【０１１３】
ＩＰ部１１２ｆは、ＰＰＰ部１１ｇからＩＰフレーム３ｂを取得する。ＩＰ部１１２ｆは、取得したＩＰフレーム３ｂのＩＰヘッダ２ａに基づいて、ＩＰフレーム３ｂに含まれる情報の提供先を判断する。具体的には、ＩＰ部１１２ｆは、ＩＰヘッダ２ａの送信先ＩＰアドレスを解読して、回線交換ＩＰアドレスであると判断する。そして、ＩＰ部１１２ｆは、ＩＰフレーム３ｂに含まれる情報は、回線交換通信により送受信するＩＳＤＮインタフェース情報であると判断する。その結果、ＩＰ部１１２ｆは、ＩＰフレーム３ｂに含まれるＩＳＤＮインタフェース情報の提供先を、Ｕ点ポート１１ａに決定する。
【０１１４】
ＩＰ部１１２ｆは、ＩＰフレーム３ｂのＩＰヘッダ２ａを破棄して、ＩＳＤＮインタフェース情報を取り出し、Ｕ点制御部１１２ｃに入力する。又、ＩＰ部１１２ｆは、サービスタイプ、トラフィッククラス、送信先ＩＰアドレス、送信元ＩＰアドレスに基づいて、優先して送信すべき情報を判断してもよい。ＩＰ部１１２ｆは、優先すべきであると判断した情報を優先して、Ｕ点制御部１１２ｃに入力する。
【０１１５】
Ｕ点制御部１１２ｃは、ＩＰ部１１２ｆからＩＳＤＮインタフェース情報を取得し、Ｕ点ポート１１ａに提供する。Ｕ点制御部１１２ｃは、ＩＳＤＮインタフェース情報を、ＩＳＤＮインタフェース情報を含むＩＳＤＮフレームとして、Ｕ点ポート１１ａに提供する。そして、Ｕ点ポート１１ａは、Ｕ点制御部１１ｃから取得したＩＳＤＮフレームを、ＩＳＤＮ端末装置１２に入力する。このようにして、ＩＳＤＮ６０を用いた回線交換通信による情報の送受信が可能となる。
【０１１６】
次に、宅内通信変換装置１１２が、パケット交換通信により情報を送信する場合について説明する。イーサネット制御部１１２ｄは、イーサネットインタフェースポート１１ｂからイーサネットインタフェース情報を取得し、ＩＰ部１１２ｆに入力する。
【０１１７】
ＩＰ部１１２ｆは、イーサネット制御部１１２ｄから取得したイーサネットインタフェース情報から、ＩＰフレームを作成する。具体的には、ＩＰ部１１２ｆは、まず、イーサネット制御部１１２ｄから取得したイーサネットインタフェース情報を、ＩＰフレーム３ｂのデータ部に格納する。尚、ＩＰフレーム３ｂのデータ部に格納するイーサネットインタフェース情報のデータ長は、予め定めておく。これにより、イーサネットフレーム６ｂに格納するイーサネットインタフェース情報のデータ長も予め定められていることになる。
【０１１８】
次に、ＩＰ部１１２ｆは、データ部にＩＰヘッダ２ａを付加し、ＩＰフレーム３ｂを作成する。ＩＰ部１１２ｆは、ＩＰヘッダ２ａの送信元ＩＰアドレス、送信先ＩＰアドレスに、パケット交換通信により送受信する情報であることを示す特定のＩＰアドレス（以下、「パケット交換ＩＰアドレス」という）を設定する。パケット交換ＩＰアドレスは、クラスＥと呼ばれる予約されているＩＰアドレス以外のＩＰアドレスを固定的に割り当てて、用いることができる。又、ＩＰ部１１２ｆは、サービスタイプ、トラフィッククラス、送信元ＩＰアドレス、送信先ＩＰアドレスを用いて、優先して送信すべき情報であることを設定してもよい。ＩＰ部１１２ｆは、作成したＩＰフレーム３ｂを、ＰＰＰ部１１ｇに入力する。
【０１１９】
以降は、図５に示した宅内通信変換装置１１２も、図２に示した宅内通信変換装置１１のＰＰＰ部１１ｇ、ＰＰＰｏＥ部１１ｈ、イーサネット部１１ｉ、ブリッジ１１ｊ、ＡＡＬ部１１ｋ、ＡＴＭ部１１ｌ、光電気変換モジュール１１ｍが、イーサネットインタフェース情報を送信する場合と同様の処理を行う。
【０１２０】
次に、宅内通信変換装置１１２がパケット交換通信により情報を受信した場合にについて説明する。イーサネットインタフェース情報を受信する場合、まず、図５に示した宅内通信変換装置１１２は、図２に示した宅内通信変換装置１１のＰＰＰ部１１ｇ、ＰＰＰｏＥ部１１ｈ、イーサネット部１１ｉ、ブリッジ１１ｊ、ＡＡＬ部１１ｋ、ＡＴＭ部１１ｌ、光電気変換モジュール１１ｍが、イーサネットインタフェース情報を受信した場合と同様の処理を行う。
【０１２１】
ＩＰ部１１２ｆは、ＰＰＰ部１１ｇからＩＰフレーム３ｂを取得する。ＩＰ部１１２ｆは、取得したＩＰフレーム３ｂのＩＰヘッダ２ａに基づいて、ＩＰフレーム３ｂに含まれる情報の提供先を判断する。具体的には、ＩＰ部１１２ｆは、ＩＰヘッダ２ａの送信先ＩＰアドレスを解読して、パケット交換ＩＰアドレスと判断する。そして、ＩＰ部１１２ｆは、ＩＰフレーム２ｂに含まれる情報は、パケット交換通信により送受信するイーサネットインタフェース情報であると判断する。その結果、ＩＰ部１１２ｆは、ＩＰフレーム３ｂに含まれるイーサネットインタフェース情報の提供先を、イーサネットインタフェースポート１１ｂに決定する。
【０１２２】
ＩＰ部１１２ｆは、ＩＰフレーム３ｂのＩＰヘッダ２ａを破棄して、イーサネットインタフェース情報を取り出し、イーサネット制御部１１２ｄに入力する。又、ＩＰ部１１２ｆは、サービスタイプ、トラフィッククラス、送信先ＩＰアドレス、送信元ＩＰアドレスに基づいて、優先して送信すべき情報を判断してもよい。ＩＰ部１１２ｆは、優先すべきであると判断した情報を優先して、イーサネット制御部１１２ｄに入力する。イーサネット制御部１１２ｄは、ＩＰ部１１２ｆからイーサネットインタフェース情報を取得し、イーサネットインタフェースポート１１ｂに提供する。このようにして、ＩＰ網３２，４２，５２を用いたパケット交換通信による情報の送受信が可能となる。
【０１２３】
（局内通信変換装置）
図５に示すように、局内通信変換装置３１２は、Ｕ点ポート３１ａと、イーサネットインタフェースポート３１ｂと、Ｕ点制御部３１２ｃと、イーサネット制御部３１２ｄと、ＩＰ部３１２ｆと、ＰＰＰ部３１ｇと、ＰＰＰｏＥ部３１ｈと、イーサネット部３１ｉと、ブリッジ３１ｊと、ＡＡＬ部３１ｋと、ＡＴＭ部３１ｌと、光電気変換モジュール３１ｍとを備える。尚、図５において、図２に示す局内通信変換装置３１と同様の部分については、同一の符号を付して説明を省略する。
【０１２４】
まず、局内通信変換装置３１２が回線交換通信による情報を送信する場合について説明する。Ｕ点制御部３１２ｃは、Ｕ点ポート３１ａからＩＳＤＮフレームを取得する。Ｕ点制御部３１２ｃは、取得したＩＳＤＮフレームに含まれるＩＳＤＮインタフェース情報を、ＩＰ部３１２ｆに入力する。ＩＰ部３１２ｆは、ＩＰに従って処理を行う。ＩＰ部３１２ｆは、Ｕ点制御部３１２ｃから取得したＩＳＤＮインタフェース情報から、ＩＰフレームを作成する。
【０１２５】
具体的には、まず、ＩＰ部３１２ｆは、Ｕ点制御部３１２ｃから取得したＩＳＤＮインタフェース情報を、ＩＰフレーム３ｂのデータ部に格納する。尚、ＩＰフレーム３ｂのデータ部に格納するＩＳＤＮインタフェース情報のデータ長は、予め定めておく。これにより、イーサネットフレーム６ｂに格納するＩＳＤＮインタフェース情報のデータ長も予め定められていることになる。
【０１２６】
次に、ＩＰ部３１２ｆは、データ部にＩＰヘッダ２ａを付加し、ＩＰフレーム３ｂを作成する。ＩＰ部３１２ｆは、ＩＰヘッダ２ａの送信元ＩＰアドレス、送信先ＩＰアドレスに、回線交換ＩＰアドレスを設定する。又、ＩＰ部３１２ｆは、サービスタイプ、トラフィッククラス、送信元ＩＰアドレス、送信先ＩＰアドレスを用いて、優先して送信すべき情報であることを設定してもよい。ＩＰ部１１２ｆは、作成したＩＰフレーム３ｂをＰＰＰ部３１ｇに入力する。
【０１２７】
以降は、図５に示した局内通信変換装置３１２も、図２に示した局内通信変換装置３１のＰＰＰ部３１ｇ、ＰＰＰｏＥ部３１ｈ、イーサネット部３１ｉ、ブリッジ３１ｊ、ＡＡＬ部３１ｋ、ＡＴＭ部３１ｌ、光電気変換モジュール３１ｍが、ＩＳＤＮインタフェース情報を送信する場合と同様の処理を行う。
【０１２８】
次に、局内通信変換装置３１２が回線交換通信により情報を受信した場合について説明する。ＩＳＤＮインタフェース情報を受信する場合、まず、図５に示した局内通信変換装置３１２は、図２に示した局内通信変換装置３１のＰＰＰ部３１ｇ、ＰＰＰｏＥ部３１ｈ、イーサネット部３１ｉ、ブリッジ３１ｊ、ＡＡＬ部３１ｋ、ＡＴＭ部３１ｌ、光電気変換モジュール３１ｍが、ＩＳＤＮインタフェース情報を受信した場合と同様の処理を行う。
【０１２９】
ＩＰ部３１２ｆは、ＰＰＰ部３１ｇからＩＰフレーム３ｂを取得する。ＩＰ部３１２ｆは、取得したＩＰフレーム３ｂのＩＰヘッダ２ａに基づいて、ＩＰフレーム３ｂに含まれる情報の提供先を判断する。具体的には、ＩＰ部３１２ｆは、ＩＰヘッダ２ａの送信先ＩＰアドレスを解読して、回線交換ＩＰアドレスであると判断する。そして、ＩＰ部３１２ｆは、ＩＰフレーム３ｂに含まれる情報は、回線交換通信により送受信するＩＳＤＮインタフェース情報であると判断する。そして、ＩＰ部３１２ｆは、ＩＰフレーム３ｂに含まれるＩＳＤＮインタフェース情報の提供先を、Ｕ点ポート３１ａに決定する。
【０１３０】
ＩＰ部３１２ｆは、ＩＰフレーム３ｂのＩＰヘッダ２ａを破棄して、ＩＳＤＮインタフェース情報を取り出し、Ｕ点制御部３１２ｃに入力する。又、ＩＰ部３１２ｆは、サービスタイプ、トラフィッククラス、送信先ＩＰアドレス、送信元ＩＰアドレスに基づいて、優先して送信すべき情報を判断してもよい。ＩＰ部３１２ｆは、優先すべきであると判断した情報を優先して、Ｕ点制御部３１２ｃに入力する。Ｕ点制御部３１２ｃは、ＩＰ部３１２ｆからＩＳＤＮインタフェース情報を取得し、Ｕ点ポート３１ａに提供する。Ｕ点制御部３１２ｃは、ＩＳＤＮインタフェース情報を、ＩＳＤＮインタフェース情報を含むＩＳＤＮフレームとして、Ｕ点ポート３１ａに提供する。このようにして、ＩＳＤＮ交換機６１を介してＩＳＤＮ６０に、宅内通信変換装置１１２から送信されたＩＳＤＮインタフェース情報が送出される。
【０１３１】
次に、局内通信変換装置３１２が、パケット交換通信により情報を送信する場合について説明する。イーサネット制御部３１２ｄは、イーサネットインタフェースポート３１ｂからイーサネットインタフェース情報を取得し、ＩＰ部３１２ｆに入力する。
【０１３２】
ＩＰ部３１２ｆは、イーサネット制御部３１２ｄから取得したイーサネットインタフェース情報から、ＩＰフレームを作成する。具体的には、まず、ＩＰ部３１２ｆは、イーサネット制御部３１２ｄから取得したイーサネットインタフェース情報を、ＩＰフレーム３ｂのデータ部に格納する。尚、ＩＰフレーム３ｂのデータ部に格納するイーサネットインタフェース情報のデータ長は、予め定めておく。これにより、イーサネットフレーム６ｂに格納するイーサネットインタフェース情報のデータ長も予め定められていることになる。
【０１３３】
次に、ＩＰ部３１２ｆは、データ部にＩＰヘッダ２ａを付加し、ＩＰフレーム３ｂを作成する。ＩＰ部３１２ｆは、ＩＰヘッダ２ａの送信元ＩＰアドレス、送信先ＩＰアドレスに、パケット交換ＩＰアドレスを設定する。又、ＩＰ部３１２ｆは、サービスタイプ、トラフィッククラス、送信元ＩＰアドレス、送信先ＩＰアドレスを用いて、優先して送信すべき情報であることを設定してもよい。ＩＰ部３１２ｆｅは、作成したＩＰフレーム３ｂを、ＰＰＰ部３１ｇに入力する。
【０１３４】
以降は、図５に示した局内通信変換装置３１２も、図２に示した局内通信変換装置３１のＰＰＰ部３１ｇ、ＰＰＰｏＥ部３１ｈ、イーサネット部３１ｉ、ブリッジ３１ｊ、ＡＡＬ部３１ｋ、ＡＴＭ部３１ｌ、光電気変換モジュール３１ｍが、イーサネットインタフェース情報を送信する場合と同様の処理を行う。
【０１３５】
次に、局内通信変換装置３１２が、パケット交換通信により情報を受信した場合について説明する。イーサネットインタフェース情報を受信する場合、まず、図５に示した局内通信変換装置３１２は、図２に示した局内通信変換装置３１のＰＰＰ部３１ｇ、ＰＰＰｏＥ部３１ｈ、イーサネット部３１ｉ、ブリッジ３１ｊ、ＡＡＬ部３１ｋ、ＡＴＭ部３１ｌ、光電気変換モジュール３１ｍが、イーサネットインタフェース情報を受信した場合と同様の処理を行う。
【０１３６】
ＩＰ部３１２ｆは、ＰＰＰ部３１ｇからＩＰフレーム３ｂを取得する。ＩＰ部３１２ｆは、取得したＩＰフレーム３ｂのＩＰヘッダ２ａに基づいて、ＩＰフレーム３ｂに含まれる情報の提供先を判断する。具体的には、ＩＰ部３１２ｆは、ＩＰヘッダ２ａの送信先ＩＰアドレスを解読して、パケット交換ＩＰアドレスであると判断する。そして、ＩＰ部３１２ｆは、ＩＰフレーム３ｂに含まれる情報は、パケット交換通信により送受信するイーサネットインタフェース情報であると判断する。そして、ＩＰ部３１２ｆは、ＩＰフレーム３ｂに含まれるイーサネットインタフェース情報の提供先を、イーサネットインタフェースポート３１ｂに決定する。
【０１３７】
ＩＰ部３１２ｆは、ＩＰフレーム３ｂのＩＰヘッダ２ａを破棄して、イーサネットインタフェース情報を取り出し、イーサネット制御部３１２ｄに入力する。又、ＩＰ部３１２ｆは、サービスタイプ、トラフィッククラス、送信先ＩＰアドレス、送信元ＩＰアドレスに基づいて、優先して送信すべき情報を判断してもよい。ＩＰ部３１２ｆは、優先すべきであると判断した情報を優先して、イーサネット制御部３１２ｄに入力する。イーサネット制御部３１２ｄは、ＩＰ部３１２ｆからイーサネットインタフェース情報を取得し、イーサネットインタフェースポート３１ｂに提供する。このようにして、ＩＰ網３２に、宅内通信変換装置１１２から送信されたイーサネットインタフェース情報が送出される。
【０１３８】
このように、宅内通信変換装置１１２、局内通信変換装置３１２では、Ｕ点制御部１１２ｃ，３１２ｃ、イーサネット制御部１１２ｄ，３１２ｄ、ＩＰ部１１２ｆ，３１２ｆ、ＰＰＰ部１１ｇ，３１ｇ、ＰＰＰｏＥ部１１ｈ，３１ｈ、イーサネット部１１ｉ，３１ｉ、ブリッジ１１ｊ，３１ｊ、ＡＡＬ部１１ｋ，３１ｋ、ＡＴＭ部１１ｌ，３１ｌが、光電気変換モジュール１１ｍ，３１ｍが送信する情報を、Ｕ点ポート１１ａ，３１ａ及びイーサネットインタフェースポート１１ｂ，３１ｂから取得し、光電気変換モジュール１１ｍ，３１ｍが受信した情報を、Ｕ点ポート１１ａ，３１ａ及びイーサネットインタフェースポート１１ｂ，３１ｂに分けて提供する端末制御部、網制御部として機能する。
【０１３９】
更に、ＩＰ部１１２ｆ，３１２ｆが、回線交換ＩＰアドレス又はパケット交換ＩＰアドレスを、回線交換通信又はパケット交換通信いずれにより送受信する情報であるかを示す制御データとして用いる。そして、ＩＰ部１１２ｆ，３１２ｆが、回線交換ＩＰアドレス又はパケット交換ＩＰアドレスを設定したＩＰヘッダ２ａを、Ｕ点ポート１１ａ，３１ａ、イーサネットインタフェースポート１１ｂ，３１ｂから取得したＩＳＤＮインタフェース情報、イーサネットインタフェース情報に付加する。又、ＩＰ部１１２ｆ，３１２ｆが、Ｕ点ポート１１ａ，３１ａ、イーサネットインタフェースポート１１ｂ，３１ｂに提供する情報を、ＩＰヘッダ２ａの回線交換ＩＰアドレス又はパケット交換ＩＰアドレスに基づいて分けて提供する。
【０１４０】
このように、宅内通信変換装置１１２、局内通信変換装置３１２では、ＩＰ部１１２ｆ，３１２ｆが、ＩＰヘッダ２ａの送信先ＩＰアドレスで識別できるようにＩＰフレーム３ｂを組み立て、ＩＰヘッダ２ａの送信先ＩＰアドレスでＩＰフレーム３ｂを識別してから、分解し、Ｕ点制御部１１２ｃ，３１２ｃ又はイーサネット制御部１１２ｄ，３１２ｄに分けて提供する。即ち、宅内通信変換装置１１２、局内通信変換装置３１２では、ＩＰ層における制御データを情報に付加し、ＩＰ層における制御データに基づいて情報を分けて提供する。
【０１４１】
これにより、宅内通信変換装置１１２、局内通信変換装置３１２は、汎用的で相互接続性に優れているＡＴＭパケット通信のプロトコルの上位層と同じＩＰ層における制御データを利用して、ＩＰ層において、回線交換通信又はパケット交換通信いずれにより送受信する情報であるかを相手に通知したり、判断して分けたりすることができる。
【０１４２】
ＩＰアドレスを、回線交換ＩＰアドレス、パケット交換ＩＰアドレスのように複数割り当てることができる場合には、宅内通信変換装置１１２、局内通信変換装置３１２は、このようにＩＰアドレスを活用して、回線交換通信又はパケット交換通信いずれにより送受信する情報であるかを相手に通知したり、判断して分けたりできる。しかも、この場合には、ＴＣＰヘッダの付加が不要であるため、宅内通信変換装置１１２、局内通信変換装置３１２における処理を軽減できる。一方、ＩＰアドレスを複数割り当てることができない場合には、ＩＳＤＮインタフェース情報であっても、イーサネットインタフェース情報であっても同じＩＰアドレスとなってしまう可能性があるため、図２に示した宅内通信変換装置１１、局内通信変換装置３１のように、ＴＣＰ層において制御する。
【０１４３】
又、ＡＡＬ部１１ｋ，３１ｋ、ＡＴＭ部１１ｌ，３１ｌが、取得したＩＳＤＮインタフェース情報、イーサネットインタフェース情報からＡＴＭセルを作成する。このようにして、Ｕ点制御部１１２ｃ，３１２ｃ、イーサネット制御部１１２ｄ，３１２ｄ、ＩＰ部１１２ｆ，３１２ｆ、ＰＰＰ部１１ｇ，３１ｇ、ＰＰＰｏＥ部１１ｈ，３１ｈ、イーサネット部１１ｉ，３１ｉ、ブリッジ１１ｊ，３１ｊ、ＡＡＬ部１１ｋ，３１ｋ、ＡＴＭ部１１ｌ，３１ｌは、情報にＩＰ層における制御データを付加し、ＩＰ層における制御データに基づいて情報を分けて提供する端末制御部、網制御部、ＡＴＭセルを作成する端末制御部、網制御部として機能できる。
【０１４４】
〔ＰＰＰｏＥ層における制御〕
図１に示す宅内通信変換装置１１、局内通信変換装置３１にかえて、図７に示すＰＰＰｏＥ層において制御を行う宅内通信変換装置１１３、局内通信変換装置３１３を用いることもできる。
【０１４５】
（宅内通信変換装置）
宅内通信変換装置１１３は、Ｕ点ポート１１ａと、イーサネットインタフェースポート１１ｂと、Ｕ点制御部１１３ｃと、イーサネット制御部１１３ｄと、ＰＰＰｏＥ部１１３ｈと、イーサネット部１１ｉと、ブリッジ１１ｊと、ＡＡＬ部１１ｋと、ＡＴＭ部１１ｌと、光電気変換モジュール１１ｍとを備える。尚、図７において、図２に示す宅内通信変換装置１１と同様の部分については、同一の符号を付して説明を省略する。
【０１４６】
まず、宅内通信変換装置１１３が回線交換通信により情報を送信する場合について説明する。Ｕ点制御部１１３ｃは、Ｕ点ポート１１ａからＩＳＤＮフレームを取得する。Ｕ点制御部１１３ｃは、取得したＩＳＤＮフレームに含まれるＩＳＤＮインタフェース情報を、ＰＰＰｏＥ部１１３ｈに入力する。ＰＰＰｏＥ部１１３ｈは、ＰＰＰｏＥに従って処理を行う。ＰＰＰｏＥ部１１３ｈは、Ｕ点制御部１１３ｃから取得したＩＳＤＮインタフェース情報から、ＰＰＰｏＥフレームを作成する。
【０１４７】
図８に示すように、ＰＰＰｏＥフレーム５ｂは、ＰＰＰｏＥヘッダ４ａと、ＰＰＰｏＥペイロード４ｃとを含む。ＰＰＰｏＥヘッダ４ａは、バージョン、タイプ、コード、セッションＩＤ、ペイロード長を含む。
【０１４８】
具体的には、まず、ＰＰＰｏＥ部１１３ｈは、Ｕ点制御部１１３ｃから取得したＩＳＤＮインタフェース情報を、ＰＰＰｏＥペイロード４ｃに格納する。尚、ＰＰＰｏＥペイロード４ｃに格納するＩＳＤＮインタフェース情報のデータ長は、予め定めておく。これにより、イーサネットフレーム６ｂに格納するＩＳＤＮインタフェース情報のデータ長も予め定められていることになる。
【０１４９】
次に、ＰＰＰｏＥ部１１３ｈは、ＰＰＰｏＥペイロード４ｃにＰＰｏＥヘッダ４ａを付加し、ＰＰＰｏＥフレーム５ｂを作成する。ＰＰＰｏＥ部１１３ｈは、ＰＰＰｏＥヘッダ４ａのセッションＩＤに、回線交換通信により送受信する情報であることを示す特定のセッションＩＤ（以下、「回線交換セッションＩＤ」という）を設定する。回線交換セッションＩＤは、予約されているセッションＩＤ以外のセッションＩＤを固定的に割り当てて、用いることができる。ＰＰＰｏＥ部１１３ｈは、作成したＰＰＰｏＥフレーム５ｂをイーサネット部１１ｉに入力する。
【０１５０】
以降は、図７に示した宅内通信変換装置１１３も、図２に示した宅内通信変換装置１１のイーサネット部１１ｉ、ブリッジ１１ｊ、ＡＡＬ部１１ｋ、ＡＴＭ部１１ｌ、光電気変換モジュール１１ｍが、ＩＳＤＮインタフェース情報を送信する場合と同様の処理を行う。
【０１５１】
次に、宅内通信変換装置１１３が回線交換通信により情報を受信した場合について説明する。ＩＳＤＮインタフェース情報を受信する場合、まず、図７に示した宅内通信変換装置１１３は、図２に示した宅内通信変換装置１１のイーサネット部１１ｉ、ブリッジ１１ｊ、ＡＡＬ部１１ｋ、ＡＴＭ部１１ｌ、光電気変換モジュール１１ｍが、ＩＳＤＮインタフェース情報を受信した場合と同様の処理を行う。
【０１５２】
ＰＰＰｏＥ部１１３ｈは、イーサネット部１１ｉからＰＰＰｏＥフレーム５ｂを取得する。ＰＰＰｏＥ部１１３ｈは、取得したＰＰＰｏＥフレーム５ｂのＰＰＰｏＥヘッダ４ａに基づいて、ＰＰＰｏＥフレーム５ｂに含まれる情報の提供先を判断する。具体的には、ＰＰＰｏＥ部１１３ｈは、ＰＰＰｏＥヘッダ４ａのセッションＩＤを解読して、回線交換セッションＩＤであると判断する。そして、ＰＰＰｏＥ部１１３ｈは、ＰＰＰｏＥフレーム５ｂに含まれる情報は、回線交換通信により送受信するＩＳＤＮインタフェース情報であると判断する。その結果、ＰＰＰｏＥ部１１３ｈは、ＰＰＰｏＥフレーム５ｂに含まれるＩＳＤＮインタフェース情報の提供先を、Ｕ点ポート１１ａに決定する。
【０１５３】
ＰＰＰｏＥ部１１３ｈは、ＰＰＰｏＥフレーム５ｂのＰＰＰｏＥヘッダ４ａを破棄して、ＩＳＤＮインタフェース情報を取り出し、Ｕ点制御部１１３ｃに入力する。Ｕ点制御部１１３ｃは、ＰＰＰｏＥ部１１３ｈからＩＳＤＮインタフェース情報を取得し、Ｕ点ポート１１ａに提供する。Ｕ点制御部１１３ｃは、ＩＳＤＮインタフェース情報を、ＩＳＤＮインタフェース情報を含むＩＳＤＮフレームとして、Ｕ点ポート１１ａに提供する。このようにして、ＩＳＤＮ６０を用いた回線交換通信による情報の送受信が可能となる。
【０１５４】
次に、宅内通信変換装置１１３が、パケット交換通信により情報を送信する場合について説明する。イーサネット制御部１１３ｄは、イーサネットインタフェースポート１１ｂからイーサネットインタフェース情報を取得し、ＰＰＰｏＥ部１１３ｈに入力する。
【０１５５】
ＰＰＰｏＥ部１１３ｈは、イーサネット制御部１１３ｄから取得したイーサネットインタフェース情報から、ＰＰＰｏＥフレームを作成する。具体的には、まず、ＰＰＰｏＥ部１１３ｈは、イーサネット制御部１１３ｄから取得したイーサネットインタフェース情報を、ＰＰＰｏＥペイロード４ｃに格納する。尚、ＰＰＰｏＥペイロード４ｃに格納するイーサネットインタフェース情報のデータ長は、予め定めておく。これにより、イーサネットフレーム６ｂに格納するイーサネットインタフェース情報のデータ長も予め定められていることになる。
【０１５６】
次に、ＰＰＰｏＥ部１１３ｈは、ＰＰＰｏＥペイロード４ｃにＰＰｏＥヘッダ４ａを付加し、ＰＰＰｏＥフレーム５ｂを作成する。ＰＰＰｏＥ部１１３ｈは、ＰＰＰｏＥヘッダ４ａのセッションＩＤに、パケット交換通信により送受信する情報であることを示す特定のセッションＩＤ（以下、「パケット交換セッションＩＤ」という）を設定する。パケット交換セッションＩＤは、予約されているセッションＩＤ以外のセッションＩＤを固定的に割り当てて、用いることができる。ＰＰＰｏＥ部１１３ｈは、作成したＰＰＰｏＥフレーム５ｂをイーサネット部１１ｉに入力する。
【０１５７】
以降は、図５に示した宅内通信変換装置１１３も、図２に示した宅内通信変換装置１１のイーサネット部１１ｉ、ブリッジ１１ｊ、ＡＡＬ部１１ｋ、ＡＴＭ部１１ｌ、光電気変換モジュール１１ｍが、イーサネットインタフェース情報を送信する場合と同様の処理を行う。
【０１５８】
次に、宅内通信変換装置１１３がパケット交換通信により情報を受信した場合にについて説明する。イーサネットインタフェース情報を受信する場合、まず、図７に示した宅内通信変換装置１１２は、図２に示した宅内通信変換装置１１のイーサネット部１１ｉ、ブリッジ１１ｊ、ＡＡＬ部１１ｋ、ＡＴＭ部１１ｌ、光電気変換モジュール１１ｍが、イーサネットインタフェース情報を受信した場合と同様の処理を行う。
【０１５９】
ＰＰＰｏＥ部１１３ｈは、イーサネット部１１ｉからＰＰＰｏＥフレーム５ｂを取得する。ＰＰＰｏＥ部１１３ｈは、取得したＰＰＰｏＥフレーム５ｂのＩＰＰＰＰｏＥヘッダ４ａに基づいて、ＰＰＰｏＥフレーム５ｂに含まれる情報の提供先を判断する。具体的には、ＰＰＰｏＥ部１１３ｈは、ＰＰＰｏＥヘッダ４ａのセッションＩＤを解読して、パケット交換セッションＩＤと判断する。そして、ＰＰＰｏＥ部１１３ｈは、ＰＰＰｏＥフレーム５ｂに含まれる情報は、パケット交換通信により送受信するイーサネットインタフェース情報であると判断する。その結果、ＰＰＰｏＥ部１１３ｈは、ＰＰＰｏＥフレーム５ｂに含まれるイーサネットインタフェース情報の提供先を、イーサネットインタフェースポート１１ｂに決定する。
【０１６０】
ＰＰＰｏＥ部１１３ｈは、ＰＰＰｏＥフレーム５ｂのＰＰＰｏＥ部ヘッダ４ａを破棄して、イーサネットインタフェース情報を取り出し、イーサネット制御部１１３ｄに入力する。イーサネット制御部１１３ｄは、ＰＰＰｏＥ部１１３ｈからイーサネットインタフェース情報を取得し、イーサネットインタフェースポート１１ｂに提供する。このようにして、ＩＰ網３２，４２，５２を用いたパケット交換通信による情報の送受信が可能となる。
【０１６１】
（局内通信変換装置）
図７に示すように、局内通信変換装置３１３は、Ｕ点ポート３１ａと、イーサネットインタフェースポート３１ｂと、Ｕ点制御部３１３ｃと、イーサネット制御部３１３ｄと、ＰＰＰｏＥ部３１３ｈと、イーサネット部３１ｉと、ブリッジ３１ｊと、ＡＡＬ部３１ｋと、ＡＴＭ部３１ｌと、光電気変換モジュール３１ｍとを備える。尚、図７において、図２に示す局内通信変換装置３１と同様の部分については、同一の符号を付して説明を省略する。
【０１６２】
まず、局内通信変換装置３１３が回線交換通信による情報を送信する場合について説明する。Ｕ点制御部３１３ｃは、Ｕ点ポート３１ａからＩＳＤＮフレームを取得する。Ｕ点制御部３１３ｃは、取得したＩＳＤＮフレームに含まれるＩＳＤＮインタフェース情報を、ＰＰＰｏＥ部３１３ｈに入力する。ＰＰＰｏＥ部３１３ｈは、ＰＰＰｏＥに従って処理を行う。ＰＰＰｏＥ部３１３ｈは、Ｕ点制御部３１３ｃから取得したＩＳＤＮインタフェース情報から、ＰＰＰｏＥフレーム５ｂを作成する。
【０１６３】
具体的には、まず、ＰＰＰｏＥ部３１３ｈは、Ｕ点制御部３１３ｃから取得したＩＳＤＮインタフェース情報を、ＰＰＰｏＥペイロード４ｃに格納する。尚、ＰＰＰｏＥペイロード４ｃに格納するＩＳＤＮインタフェース情報のデータ長は、予め定めておく。これにより、イーサネットフレーム６ｂに格納するＩＳＤＮインタフェース情報のデータ長も予め定められていることになる。
【０１６４】
次に、ＰＰＰｏＥ部３１３ｈは、ＰＰＰｏＥペイロード４ｃにＰＰｏＥヘッダ４ａを付加し、ＰＰＰｏＥフレーム５ｂを作成する。ＰＰＰｏＥ部３１３ｈは、ＰＰＰｏＥヘッダ４ａのセッションＩＤに、回線交換セッションＩＤを設定する。ＰＰＰｏＥ部３１３ｈは、作成したＰＰＰｏＥフレーム５ｂをイーサネット部３１ｉに入力する。
【０１６５】
以降は、図７に示した局内通信変換装置３１３も、図２に示した局内通信変換装置３１のイーサネット部３１ｉ、ブリッジ３１ｊ、ＡＡＬ部３１ｋ、ＡＴＭ部３１ｌ、光電気変換モジュール３１ｍが、ＩＳＤＮインタフェース情報を送信する場合と同様の処理を行う。
【０１６６】
次に、局内通信変換装置３１３が回線交換通信により情報を受信した場合について説明する。ＩＳＤＮインタフェース情報を受信する場合、まず、図７に示した局内通信変換装置３１３は、図２に示した局内通信変換装置３１のイーサネット部３１ｉ、ブリッジ３１ｊ、ＡＡＬ部３１ｋ、ＡＴＭ部３１ｌ、光電気変換モジュール３１ｍが、ＩＳＤＮインタフェース情報を受信した場合と同様の処理を行う。
【０１６７】
ＰＰＰｏＥ部３１３ｈは、イーサネット３１ｉからＰＰＰｏＥフレーム５ｂを取得する。ＰＰＰｏＥ部３１３ｈは、取得したＰＰＰｏＥフレーム５ｂのＰＰＰｏＥヘッダ４ａに基づいて、ＰＰＰｏＥフレーム５ｂに含まれる情報の提供先を判断する。具体的には、ＰＰＰｏＥ部３１３ｈは、ＰＰＰｏＥヘッダ４ａのセッションＩＤを解読して、回線交換セッションＩＤであると判断する。そして、ＰＰＰｏＥ部３１３ｈは、ＰＰＰｏＥフレーム５ｂに含まれる情報は、回線交換通信により送受信するＩＳＤＮインタフェース情報であると判断する。そして、ＰＰＰｏＥ部３１３ｈは、ＰＰＰｏＥフレーム５ｂに含まれるＩＳＤＮインタフェース情報の提供先を、Ｕ点ポート３１ａに決定する。
【０１６８】
ＰＰＰｏＥ部３１３ｈは、ＰＰＰｏＥフレーム５ｂのＰＰＰｏＥヘッダ４ａを破棄して、ＩＳＤＮインタフェース情報を取り出し、Ｕ点制御部３１３ｃに入力する。Ｕ点制御部３１３ｃは、ＰＰＰｏＥ部３１３ｈからＩＳＤＮインタフェース情報を取得し、Ｕ点ポート３１ａに提供する。Ｕ点制御部３１３ｃは、ＩＳＤＮインタフェース情報を、ＩＳＤＮインタフェース情報を含むＩＳＤＮフレームとして、Ｕ点ポート３１ａに提供する。このようにして、ＩＳＤＮ交換機６１を介してＩＳＤＮ６０に、宅内通信変換装置１１３から送信されたＩＳＤＮインタフェース情報が送出される。
【０１６９】
次に、局内通信変換装置３１３が、パケット交換通信により情報を送信する場合について説明する。イーサネット制御部３１３ｄは、イーサネットインタフェースポート３１ｂからイーサネットインタフェース情報を取得し、ＰＰＰｏＥ部３１３ｈに入力する。
【０１７０】
ＰＰＰｏＥ部３１３ｈは、イーサネット制御部３１３ｄから取得したイーサネットインタフェース情報から、ＰＰＰｏＥフレーム５ｂを作成する。ＰＰＰｏＥ部３１３ｈは、まず、イーサネット制御部３１３ｄから取得したＩＳＤＮインタフェース情報を、ＰＰＰｏＥペイロード４ｃに格納する。尚、ＰＰＰｏＥペイロード４ｃに格納するイーサネットインタフェース情報のデータ長は、予め定めておく。これにより、イーサネットフレーム６ｂに格納するイーサネットインタフェース情報のデータ長も予め定められていることになる。
【０１７１】
次に、ＰＰＰｏＥ部３１３ｈは、ＰＰＰｏＥペイロード４ｃにＰＰｏＥヘッダ４ａを付加し、ＰＰＰｏＥフレーム５ｂを作成する。ＰＰＰｏＥ部３１３ｈは、ＰＰＰｏＥヘッダ４ａのセッションＩＤに、パケット交換セッションＩＤを設定する。ＰＰＰｏＥ部３１３ｈは、作成したＰＰＰｏＥフレーム５ｂをイーサネット部３１ｉに入力する。
【０１７２】
以降は、図７に示した局内通信変換装置３１３も、図２に示した局内通信変換装置３１のイーサネット部３１ｉ、ブリッジ３１ｊ、ＡＡＬ部３１ｋ、ＡＴＭ部３１ｌ、光電気変換モジュール３１ｍが、イーサネットインタフェース情報を送信する場合と同様の処理を行う。
【０１７３】
次に、局内通信変換装置３１３が、パケット交換通信により情報を受信した場合について説明する。イーサネットインタフェース情報を受信する場合、まず、図７に示した局内通信変換装置３１３は、図２に示した局内通信変換装置３１のイーサネット部３１ｉ、ブリッジ３１ｊ、ＡＡＬ部３１ｋ、ＡＴＭ部３１ｌ、光電気変換モジュール３１ｍが、イーサネットインタフェース情報を受信した場合と同様の処理を行う。
【０１７４】
ＰＰＰｏＥ部３１３ｈは、イーサネット部３１ｉからＰＰＰｏＥフレーム５ｂを取得する。ＰＰＰｏＥ部３１３ｈは、取得したＰＰＰｏＥフレーム５ｂのＰＰＰｏＥヘッダ４ａに基づいて、ＰＰＰｏＥフレーム５ｂに含まれる情報の提供先を判断する。具体的には、ＰＰＰｏＥ部３１３ｈは、ＰＰＰｏＥヘッダ４ａのセッションＩＤを解読して、パケット交換セッションＩＤであると判断する。そして、ＰＰＰｏＥ部３１３ｈは、ＰＰＰｏＥフレーム５ｂに含まれる情報は、パケット交換通信により送受信するイーサネットインタフェース情報であると判断する。そして、ＰＰＰｏＥ部３１３ｈは、ＰＰＰｏＥフレーム５ｂに含まれるイーサネットインタフェース情報の提供先を、イーサネットインタフェースポート３１ｂに決定する。
【０１７５】
ＰＰＰｏＥ部３１３ｈは、ＰＰＰｏＥフレーム５ｂのＰＰＰｏＥヘッダ４ａを破棄して、イーサネットインタフェース情報を取り出し、イーサネット制御部３１３ｄに入力する。イーサネット制御部３１３ｄは、ＰＰＰｏＥ部３１３ｈからイーサネットインタフェース情報を取得し、イーサネットインタフェースポート３１ｂに提供する。このようにして、ＩＰ網３２に、宅内通信変換装置１１２から送信されたイーサネットインタフェース情報が送出される。
【０１７６】
このように、宅内通信変換装置１１３、局内通信変換装置３１３では、Ｕ点制御部１１３ｃ，３１３ｃ、イーサネット制御部１１３ｄ，３１３ｄ、ＰＰＰｏＥ部１１３ｈ，３１３ｈ、イーサネット部１１ｉ，３１ｉ、ブリッジ１１ｊ，３１ｊ、ＡＡＬ部１１ｋ，３１ｋ、ＡＴＭ部１１ｌ，３１ｌが、光電気変換モジュール１１ｍ，３１ｍが送信する情報を、Ｕ点ポート１１ａ，３１ａ及びイーサネットインタフェースポート１１ｂ，３１ｂから取得し、光電気変換モジュール１１ｍ，３１ｍが受信した情報を、Ｕ点ポート１１ａ，３１ａ及びイーサネットインタフェースポート１１ｂ，３１ｂに分けて提供する端末制御部、網制御部として機能する。
【０１７７】
更に、ＰＰＰｏＥ部１１３ｈ，３１３ｈが、回線交換セッションＩＤ又はパケット交換セッションＩＤを、回線交換通信又はパケット交換通信いずれにより送受信する情報であるかを示す制御データとして用いる。そして、ＰＰＰｏＥ部１１３ｈ，３１３ｈが、回線交換セッションＩＤ又はパケット交換セッションＩＤを設定したＰＰＰｏＥヘッダ４ａを、Ｕ点ポート１１ａ，３１ａ、イーサネットインタフェースポート１１ｂ，３１ｂから取得したＩＳＤＮインタフェース情報、イーサネットインタフェース情報に付加する。又、ＰＰＰｏＥ部１１３ｈ，３１３ｈが、Ｕ点ポート１１ａ，３１ａ、イーサネットインタフェースポート１１ｂ，３１ｂに提供する情報を、ＰＰＰｏＥヘッダ４ａの回線交換セッションＩＤ又はパケットセッションＩＤに基づいて分けて提供する。
【０１７８】
このように、宅内通信変換装置１１３、局内通信変換装置３１３では、ＰＰＰｏＥ部１１３ｈ，３１３ｈが、ＰＰＰｏＥヘッダ４ａのセッションＩＤで識別できるようにＰＰＰｏＥフレーム５ｂを組み立て、ＰＰＰｏＥヘッダ４ａのセッションＩＤでＰＰＰｏＥフレーム５ｂを識別してから、分解し、Ｕ点制御部１１３ｃ，３１３ｃ又はイーサネット制御部１１３ｄ，３１３ｄに分けて提供する。即ち、宅内通信変換装置１１３、局内通信変換装置３１３では、ＰＰＰｏＥ層における制御データを情報に付加し、ＰＰＰｏＥ層における制御データに基づいて情報を分けて提供する。
【０１７９】
これにより、宅内通信変換装置１１３、局内通信変換装置３１３は、汎用的で相互接続性に優れているＡＴＭパケット通信のプロトコルの上位層と同じＰＰＰｏＥ層における制御データを利用して、ＰＰＰｏＥ層において、回線交換通信又はパケット交換通信いずれにより送受信する情報であるかを相手に通知したり、判断して分けたりすることができる。
【０１８０】
更に、ＰＰＰｏＥでは、ＰＰＰのセッション毎に接続相手先を変更することが可能であるため、セッションＩＤを活用して、回線交換通信又はパケット交換通信いずれにより送受信する情報であるかを相手に通知したり、判断して分けたりできる。しかも、この場合には、ＴＣＰヘッダ、ＩＰヘッダの付加が不要であるため、宅内通信変換装置１１３、局内通信変換装置３１３における処理を軽減できる。その結果、同時に複数のＰＰＰｏＥのセッションを使用することができ、宅内通信変換装置１１３、局内通信変換装置３１３は、同時使用可能なＰＰＰｏＥのセッション数を設定したマルチリンク方式の処理を提供できる。例えば、宅内通信変換装置１１３、局内通信変換装置３１３は、同時使用可能なＰＰＰｏＥの最大セッション数を提供サービス毎に設定して、ＩＳＤＮ端末装置１２や端末装置１３にサービスを提供することができる。
【０１８１】
又、ＡＡＬ部１１ｋ，３１ｋ、ＡＴＭ部１１ｌ，３１ｌが、取得したＩＳＤＮインタフェース情報、イーサネットインタフェース情報からＡＴＭセルを作成する。このようにして、Ｕ点制御部１１３ｃ，３１３ｃ、イーサネット制御部１１３ｄ，３１３ｄ、ＰＰＰｏＥ部１１３ｈ，３１３ｈ、イーサネット部１１ｉ，３１ｉ、ブリッジ１１ｊ，３１ｊ、ＡＡＬ部１１ｋ，３１ｋ、ＡＴＭ部１１ｌ，３１ｌは、情報にＰＰＰｏＥ層における制御データを付加し、ＰＰＰｏＥ層における制御データに基づいて情報を分けて提供する端末制御部、網制御部、ＡＴＭセルを作成する端末制御部、網制御部として機能できる。
【０１８２】
〔ＩＳＤＮフレーム間の相対位置関係〕
次に、図９を用いてＩＳＤＮフレーム間の相対位置関係について説明する。図９では、図２に示した宅内通信変換装置１１とＩＳＤＮ端末装置１２との関係、ＩＳＤＮ交換機６１と局内通信変換装置３１との関係について示しているが、図５、図７に示した宅内通信変換装置１１２，１１３とＩＳＤＮ端末装置１２との間、ＩＳＤＮ交換機６１と局内通信変換装置３１２，３１３との間でも同様の関係が成り立つ。
【０１８３】
宅内通信変換装置１１が、ＩＳＤＮ端末装置１２に、バースト長Ｔｂが１１７８．１２５μ秒のＩＳＤＮフレームをバーストフレームとして送信する。ＩＳＤＮ端末装置１２は、例えば、０．０００〜５０．４００μ秒の伝送遅延Ｔｄだけ遅れてＩＳＤＮフレームを受信する。ＩＳＤＮ端末装置１２は、ＩＳＤＮフレームの受信を完了してから、例えば１８．７５０〜２１．８７５μ秒のガードタイムＴｇだけ間隔を空けて、ＩＳＤＮフレームをバーストフレームとして宅内通信変換装置１１に送信する。
【０１８４】
宅内通信変換装置１１は、例えば、０．０００〜５０．４００μ秒の伝送遅延Ｔｄだけ遅れてＩＳＤＮフレームを受信する。宅内通信変換装置１１は、ＩＳＤＮフレームの受信を完了してから、例えば２１．０７５〜１２５．０００μ秒のガードタイムＴｍだけ間隔を空けて、ＩＳＤＮフレームをバーストフレームとしてＩＳＤＮ端末装置１２に送信する。宅内通信変換装置１１とＩＳＤＮ端末装置１２とは、このようなＩＳＤＮフレームの相対位置関係で、２．５ｍ秒の周期で１回のＩＳＤＮフレームの送信と受信をお互いに行う。
【０１８５】
同様に、ＩＳＤＮ交換機６１が、局内通信変換装置３１に、バースト長Ｔｂが１１７８．１２５μ秒のＩＳＤＮフレームをバーストフレームとして送信する。局内通信変換装置３１は、伝送遅延Ｔｄだけ遅れてＩＳＤＮフレームを受信する。局内通信変換装置３１は、ＩＳＤＮフレームの受信を完了してから、例えばガードタイムＴｇだけ間隔を空けて、ＩＳＤＮフレームをバーストフレームとしてＩＳＤＮ交換機６１に送信する。ＩＳＤＮ交換機６１は、伝送遅延Ｔｄだけ遅れてＩＳＤＮフレームを受信する。ＩＳＤＮ交換機６１は、ＩＳＤＮフレームの受信を完了してから、ガードタイムＴｍだけ間隔を空けて、ＩＳＤＮフレームをバーストフレームとして局内通信変換装置３１に送信する。ＩＳＤＮ交換機６１と局内通信変換装置３１とは、このようなＩＳＤＮフレームの相対位置関係で、２．５ｍ秒の周期で１回のＩＳＤＮフレームの送信と受信をお互いに行う。
【０１８６】
よって、Ｕ点制御部１１ｃ，１１２ｃ，１１３ｃ，３１ｃ，３１２ｃ，３１３ｃは、図９に示すＩＳＤＮフレーム間の相対位置関係が成り立つように、ＩＳＤＮフレームを、Ｕ点ポート１１ａ，３１ａに提供する。そして、Ｕ点ポート１１ａは、ＩＳＤＮフレームをＵ点制御部１１ｃ，１１２ｃ，１１３ｃから取得すると、直ちにＩＳＤＮ端末装置１２に入力する。又、Ｕ点ポート３１ａは、ＩＳＤＮフレームをＵ点制御部３１ｃ，３１２ｃ，３１３ｃから取得すると、直ちにＩＳＤＮ交換機６１に送信する。
【０１８７】
即ち、宅内通信変換装置１１や局内通信変換装置３１が、単純に、ＩＳＤＮ端末装置１２やＩＳＤＮ交換機６１への情報を、ＩＳＤＮ端末装置１２にまとめて入力したり、ＩＳＤＮ交換機６１にまとめて送信したりすると、図９に示すＩＳＤＮフレーム間の相対位置関係が成り立たなくなってしまう。又、Ｕ点制御部１１ｃ，１１２ｃ，１１３ｃ，３１ｃ，３１２ｃ，３１３ｃが、ＩＳＤＮインタフェース情報から作成したＡＴＭセルの受信にあわせて、ＩＳＤＮフレームのＵ点ポート１１ａ，３１ａへの提供を行ってしまうと、図９に示すＩＳＤＮフレーム間の相対位置関係が成り立たなくなってしまうおそれがある。
【０１８８】
そのため、Ｕ点制御部１１ｃ，１１２ｃ，１１３ｃ，３１ｃ，３１２ｃ，３１３ｃは、ＡＴＭセルの受信とは独立して、図９に示すＩＳＤＮフレーム間の相対位置関係が成り立つように、ＩＳＤＮフレームを、Ｕ点ポート１１ａ，３１ａに提供することが重要である。
【０１８９】
更に、Ｕ点制御部１１ｃ，１１２ｃ，１１３ｃ，３１ｃ，３１２ｃ，３１３ｃは、Ｕ点ポート１１ａ，３１ａからＩＳＤＮフレームを取得すると、次にＩＳＤＮフレームを取得する前に電気変換モジュール１１ｍ，３１ｍがＡＴＭセルを送信できるように、取得したＩＳＤＮフレームに含まれるＩＳＤＮインタフェース情報を、ＴＣＰ部１１ｅ，３１ｅ、ＩＰ部１１２ｆ，３１２ｆ、ＰＰＰｏＥ部１１３ｈ，３１３ｈに直ちに入力する。これにより、光電気変換モジュール１１ｍは、Ｕ点制御部１１ｃ，１１２ｃ，１１３ｃ，３１ｃ，３１２ｃ，３１３ｃがＩＳＤＮフレームを取得すると、次にＩＳＤＮフレームを取得する前に、ＡＴＭセルを送信できる。これにより、宅内通信変換装置１１，１１２，１１３、局内通信変換装置３１，３１２，３１３は、ＩＳＤＮ端末装置１２、ＩＳＤＮ交換機６１からＩＳＤＮフレームを取得すると、次にＩＳＤＮフレームを取得する前に、ＡＴＭセルを送信する。その結果、宅内通信変換装置１１，１１２，１１３、局内通信変換装置３１，３１２，３１３は、情報の送受信における遅延を小さくできる。
【０１９０】
Ｕ点制御部１１ｃ，３１ｃが、このように制御を行う結果、例えば、１００ｍｂｐｓの高速でＩＳＤＮインタフェース情報を送受信する場合のタイムチャート図は、図１０に示すようになる。
【０１９１】
ＩＳＤＮ交換機６１が、バースト長Ｔｂが１１７８μ秒のＩＳＤＮフレーム１０ａを、バーストフレームとして送信する。ＩＳＤＮフレーム１０ａを受信した局内通信変換装置３１は、１つのＩＳＤＮフレーム１０ａを、３〜４個のＡＴＭセル１０ｂにパケット化する。局内通信変換装置３１は、ＩＳＤＮフレーム１０ａを受信すると直ちに、ＡＴＭセル１０ｂを、光ファイバーケーブル２０に送信する。宅内通信変換装置１１は、ＡＴＭセル１０ｂを受信しても直ぐには送信せずに、６５３μ秒後にＡＴＭセル１０ｂから得られるＩＳＤＮフレーム１０ａを、ＩＳＤＮ端末装置１２に送信する。ＩＳＤＮ端末装置１２は、ＩＳＤＮフレーム１０ａを受信後、ガードタイムＴｇだけ間隔を空けて、ＩＳＤＮフレーム１０ｃをバーストフレームとして宅内通信変換装置１１に送信する。
【０１９２】
ＩＳＤＮフレーム１０ｃを受信した宅内通信変換装置１１は、１つのＩＳＤＮフレーム１０ｃを、３〜４個のＡＴＭセル１０ｄにパケット化する。宅内通信変換装置１１は、ＩＳＤＮフレーム１０ｃを受信すると直ちに、ＡＴＭセル１０ｄを、光ファイバーケーブル２０に送信する。局内通信変換装置３１は、ＡＴＭセル１０ｄを受信しても直ぐには送信せずに、６５３μ秒後にＡＴＭセル１０ｄから得られるＩＳＤＮフレーム１０ｃを、ＩＳＤＮ交換機６１に送信する。
【０１９３】
更に、Ｕ点制御部１１ｃ，３１ｃが、図９に示すＩＳＤＮフレーム間の相対位置関係が成り立つように制御することに加えて、宅内通信変換装置１１、局内通信変換装置３１が、ＩＳＤＮ端末装置１２、ＩＳＤＮ交換機６１からＩＳＤＮフレームを取得すると、次にＩＳＤＮフレームを取得する前に、ＡＴＭセルを送信する動作を相互に組み合わせるように制御すると、例えば、１００ｍｂｐｓの高速でＩＳＤＮインタフェース情報を送受信する場合のタイムチャート図は、図１１に示すようになる。
【０１９４】
第１周期において、ＩＳＤＮ交換機６１が、バースト長Ｔｂが１１７８μ秒のｎ番目のＩＳＤＮフレーム１０ｅを送信する。ＩＳＤＮフレーム１０ｅを受信した局内通信変換装置３１は、１つのＩＳＤＮフレーム１０ｅを、３〜４個のｎ番目のＡＴＭセル１０ｆにパケット化する。局内通信変換装置３１は、ｎ番目のＩＳＤＮフレーム１０ｅを受信すると直ちに、ｎ番目のＡＴＭセル１０ｆを、光ファイバーケーブル２０に送信する。宅内通信変換装置１１は、ｎ番目のＡＴＭセル１０ｆを受信しても直ぐには送信せずに、次の周期である第２周期で、ｎ番目のＡＴＭセル１０ｆから得られるｎ番目のＩＳＤＮフレーム１０ｅを、ＩＳＤＮ端末装置１２に送信する。ＩＳＤＮ端末装置１２は、第２周期の受信位置でｎ番目のＩＳＤＮフレーム１０ｅを受信する。
【０１９５】
ＩＳＤＮ端末装置１２は、ｎ番目のＩＳＤＮフレーム１０ｅを受信後、ガードタイムＴｇだけ間隔を空けて、ｍ番目のＩＳＤＮフレーム１０ｏを宅内通信変換装置１１に送信する。ｍ番目のＩＳＤＮフレーム１０ｏを受信した宅内通信変換装置１１は、１つのＩＳＤＮフレーム１０ｏを、３〜４個のｍ番目のＡＴＭセル１０ｐにパケット化する。宅内通信変換装置１１は、ｍ番目のＩＳＤＮフレーム１０ｏを受信すると直ちに、ｍ番目のＡＴＭセル１０ｐを、光ファイバーケーブル２０に送信する。局内通信変換装置３１は、ｍ番目のＡＴＭセル１０ｐを受信しても直ぐには送信せずに、次の周期である第３周期で、ｍ番目のＡＴＭセル１０ｐから得られるｍ番目のＩＳＤＮフレーム１０ｏを、ＩＳＤＮ交換機６１に送信する。
【０１９６】
更に、第１周期よりも前の周期において、局内通信変換装置３１が、ｍ−２番目のＡＴＭセル１０ｌを受信する。ｍ−２番目のＡＴＭセル１０ｌを受信した局内通信変換装置３１は、ｍ−２番目のＡＴＭセル１０ｌを受信しても直ぐには送信せずに、次の周期である第１周期で、ｍ−２番目のＡＴＭセル１０ｌから得られるｍ−２番目のＩＳＤＮフレーム１０ｋを、ＩＳＤＮ交換機６１に送信する。ＩＳＤＮ交換機６１は、第１周期の受信位置でｍ−２番目のＩＳＤＮフレーム１０ｋを受信する。
【０１９７】
ＩＳＤＮ交換機６１は、ｍ−２番目のＩＳＤＮフレーム１０ｋを受信後、ガードタイムＴｍだけ間隔を空けて、ｎ＋１番目のＩＳＤＮフレーム１０ｇを局内通信変換装置３１に送信する。ｎ＋１番目のＩＳＤＮフレーム１０ｇを受信した局内通信変換装置３１は、ｎ＋１番目のＩＳＤＮフレーム１０ｇを、ｎ＋１番目のＡＴＭセル１０ｈにパケット化する。局内通信変換装置３１は、ｎ＋１番目のＩＳＤＮフレーム１０ｇを受信すると直ちに、ｎ＋１番目のＡＴＭセル１０ｈを、光ファイバーケーブル２０に送信する。宅内通信変換装置１１は、ｎ＋１番目のＡＴＭセル１０ｈを受信しても直ぐには送信せずに、次の周期である第３周期で、ｎ＋１番目のＡＴＭセル１０ｈから得られるｎ＋１番目のＩＳＤＮフレーム１０ｇを、ＩＳＤＮ端末装置１２に送信する。ＩＳＤＮ端末装置１２は、第３周期の受信位置でｎ＋１番目のＩＳＤＮフレーム１０ｇを受信する。
【０１９８】
更に、ＩＳＤＮ端末装置１２は、第１周期の受信位置でｎ−１番目のＩＳＤＮフレームを受信後、ガードタイムＴｇだけ間隔を空けて、ｍ―１番目のＩＳＤＮフレーム１０ｍを宅内通信変換装置１１に送信する。ｍ―１番目のＩＳＤＮフレーム１０ｍを受信した宅内通信変換装置１１は、ｍ―１番目のＩＳＤＮフレーム１０ｍを、ｍ―１番目のＡＴＭセル１０ｎにパケット化する。宅内通信変換装置１１は、ｍ―１番目のＩＳＤＮフレーム１０ｍを受信すると直ちに、ｍ―１番目のＡＴＭセル１０ｎを、光ファイバーケーブル２０に送信する。局内通信変換装置３１は、ｍ―１番目のＡＴＭセル１０ｎを受信しても直ぐには送信せずに、次の周期である第２周期で、ｍ―１番目のＡＴＭセル１０ｎから得られるｍ―１番目のＩＳＤＮフレーム１０ｍを、ＩＳＤＮ交換機６１に送信する。そして、ＩＳＤＮ交換機６１が、ガードタイムＴｍだけ間隔を空けて、ｎ＋２番目のＩＳＤＮフレーム１０ｉを局内通信変換装置３１に送信する。局内通信変換装置３１は、ｎ＋２番目のＩＳＤＮフレーム１０ｉを、ｎ＋２番目のＡＴＭセル１０ｊにパケット化して、光ファイバーケーブル２０に送信する。
【０１９９】
これにより、宅内通信変換装置１１と局内通信変換装置３１は、ＩＳＤＮフレーム間の相対位置関係と、ＩＳＤＮフレームの送受信の連続性を確保できる。尚、図１０、図１１では、図２に示した宅内通信変換装置１１、局内通信変換装置３１について示しているが、図５、図７に示した宅内通信変換装置１１２，１１３、局内通信変換装置３１２，３１３についても、同様のタイムチャート図となる。
【０２００】
〔効果〕
このような光通信システム１００、局内通信変換装置３１，３１２，３１３、宅内通信変換装置１１，１１２，１１３によれば、光ファイバーケーブル２０，７０による接続回線の区間の通信は、ＡＴＭパケット通信になるものの、共通の光ファイバーケーブル２０，７０を用い、ＩＳＤＮ６０を用いた回線交換通信と、ＩＰ網３２，４２，５２を用いたパケット交換通信とを簡単に使い分けることができる。そして、回線交換通信とパケット交換通信の双方が、光ファイバーケーブル２０，７０のみを使用して利用することが可能となる。よって、緊急通報やフリーダイヤルなど、従来の回線交換方式の電話で提供していたサービスも提供できる。
【０２０１】
しかも、局内通信変換装置３１，３１２，３１３は、回線交換網としてＩＳＤＮ６０と相互接続できる。これにより、局内通信変換装置３１，３１２，３１３は、通信を行っていないときでも、レイヤ１，レイヤ２で回線状態を監視でき、ＩＳＤＮ６０が持つ信頼性を活かすことができる。その結果、様々なシステムで利用できる社会インフラになり得る統合的な光通信システム１００を実現できる。
【０２０２】
又、イーサネット部１１ｉ，３１ｉが、取得したＩＳＤＮインタフェース情報、イーサネットインタフェース情報からイーサネットフレーム６ｂを作成して、イーサネットフレーム化する。そして、ＡＡＬ部１１ｋ，３１ｋ、ＡＴＭ部１１ｌ，３１ｌが、イーサネットフレームからＡＴＭセルを作成する。そして、光電気変換モジュール１１ｍ，３１ｍが、光ファイバーケーブル２０を介して情報を、ＡＴＭセルとして送受信する。そのため、光ファイバーケーブル２０の区間の通信は、汎用的で相互接続性に優れたＡＴＭパケット通信により行うことができる。又、従来のＩＳＤＮ６０を用いた通信により近い信頼性を確保することができる。
【０２０３】
［第２の実施の形態］
図１に示した光通信システム１００の宅内システム１０，８０内に、光ファイバーケーブル２０，７０に接続して局内通信変換装置３１，５１とＩＳＤＮインタフェース情報、イーサネットインタフェース情報を、ＡＴＭセルとして送受信する通信装置を設けることができる。図１２に、宅内通信変換装置１１４と光ファイバーケーブル２０との間に、通信装置としてＯＮＵ（Ｏｐｔｉｃａｌ  Ｎｅｔｗｏｒｋ  Ｕｎｉｔ）９０ａを設け、宅内通信変換装置１１４とＯＮＵ９０ａとを、１０／１００ＢＡＳＥ−Ｔケーブル９０ｂで接続した場合を示す。宅内通信変換装置１１４は、ＴＣＰ層において制御を行う。そのため、図１２において、宅内通信変換装置１１４、ＯＮＵ９０ａ、１０／１００ＢＡＳＥ−Ｔケーブル９０ｂ以外は、図２と同様である。
【０２０４】
１０／１００ＢＡＳＥ−Ｔケーブル９０ｂは、１０／１００ＢＡＳＥ−Ｔと呼ばれるイーサネットに用いられる伝送媒体に関する規格に従うケーブルである。１０／１００ＢＡＳＥ−Ｔケーブル９０ｂは、２芯のより対線を用いて、上り方向の信号と、下り方向の信号とを分けて独立して通信を行う。
【０２０５】
宅内通信変換装置１１４は、Ｕ点ポート１１ａと、イーサネットインタフェースポート１１ｂと、Ｕ点制御部１１ｃと、イーサネット制御部１１ｄと、ＴＣＰ部１１ｅと、ＩＰ部１１ｆと、ＰＰＰ部１１ｇと、ＰＰＰｏＥ部１１ｈと、イーサネット部１１４ｉとを備える。尚、図１２において、図２に示す宅内通信変換装置１１と同様の部分については、同一の符号を付して説明を省略する。
【０２０６】
イーサネット部１１４ｉは、１０／１００ＢＡＳＥ−Ｔケーブル９０ｂと接続する１０／１００ＢＡＳＥ−Ｔケーブル９０ｂとのイーサネットインタフェース部である。イーサネット部１１４ｉは、回線交換通信によりＩＳＤＮインタフェース情報を送信する場合も、パケット交換通信によりイーサネットインタフェース情報を送信する場合も、図２に示したイーサネット部１１ｉと同様にして、ＰＰＰｏＥ部１１ｈから取得したＰＰＰｏＥフレーム５ｂに、イーサネットヘッダ５ａと、チェックサム５ｃとを付加してイーサネットフレーム６ｂを作成する。イーサネット部１１４ｉは、作成したＩＳＤＮインタフェース情報やイーサネットインタフェース情報を含むイーサネットフレーム６ｂを、１０／１００ＢＡＳＥ−Ｔケーブル９０ｂに送信する。即ち、イーサネット部１１４ｉは、１０／１００ＢＡＳＥ−Ｔケーブル９０ｂを介して、イーサネットフレーム６ｂをＯＮＵ９０ａに送信する。イーサネット部１１４ｉは、例えば、１００Ｍｂｐｓの速度で、イーサネットフレーム６ｂを送信する。
【０２０７】
又、イーサネット部１１４ｉは、回線交換通信によりＩＳＤＮインタフェース情報を受信する場合も、パケット交換通信によりイーサネットインタフェース情報を受信する場合も、ＯＮＵ９０ａから送信されたＩＳＤＮインタフェース情報やイーサネットインタフェース情報を含むイーサネットフレーム６ｂを、１０／１００ＢＡＳＥ−Ｔケーブル９０ｂから受信する。即ち、イーサネット部１１４ｉは、１０／１００ＢＡＳＥ−Ｔケーブル９０ｂを介して、イーサネットフレーム６ｂをＯＮＵ９０ａから受信する。そして、イーサネット部１１４ｉは、図２に示したイーサネット部１１ｉと同様にして、受信したイーサネットフレーム６ｂのイーサネットヘッダ５ａを破棄して、ＰＰＰｏＥフレーム５ｂを取り出し、ＰＰＰｏＥ部１１ｈに入力する。
【０２０８】
このように、イーサネット部１１４ｉは、１０／１００ＢＡＳＥ−Ｔケーブル９０ｂを介して、ＯＮＵ９０ａと、ＩＳＤＮインタフェース情報、イーサネットインタフェース情報を送受信する。
【０２０９】
ＯＮＵ９０ａは、イーサネット部９１と、ブリッジ９２と、ＡＡＬ部９３と、ＡＴＭ部９４と、光電気変換モジュール９５とを備える。イーサネット部９１は、１０／１００ＢＡＳＥ−Ｔケーブル９０ｂと接続する１０／１００ＢＡＳＥ−Ｔケーブル９０ｂとのイーサネットインタフェース部である。イーサネット部９１は、宅内通信変換装置１１４からのＩＳＤＮインタフェース情報やイーサネットインタフェース情報を含むイーサネットフレーム６ｂを、１０／１００ＢＡＳＥ−Ｔケーブル９０ｂから受信する。即ち、イーサネット部９１は、１０／１００ＢＡＳＥ−Ｔケーブル９０ｂを介して、イーサネットフレーム６ｂを宅内通信変換装置１１４から受信する。イーサネット部９１は、受信したイーサネットフレーム６ｂを、ブリッジ９２に入力する。
【０２１０】
又、イーサネット部９１は、ブリッジ９２から、局内通信変換装置３１からのＩＳＤＮインタフェース情報やイーサネットインタフェース情報を含むイーサネットフレーム６ｂを取得する。イーサネット部９１は、取得したイーサネットフレーム６ｂを、１０／１００ＢＡＳＥ−Ｔケーブル９０ｂに送信する。即ち、イーサネット部９１は、１０／１００ＢＡＳＥ−Ｔケーブル９０ｂを介して、イーサネットフレーム６ｂを宅内通信変換装置１１４に送信する。イーサネット部９１は、例えば、１００Ｍｂｐｓの速度で、イーサネットフレーム６ｂを送信する。
【０２１１】
このように、イーサネット部９１は、１０／１００ＢＡＳＥ−Ｔケーブル９０ｂを介して、宅内通信変換装置１１４と、ＩＳＤＮインタフェース情報、イーサネットインタフェース情報を送受信する通信装置送受信部として機能する。
【０２１２】
ブリッジ９２、ＡＡＬ部９３、ＡＴＭ部９４、光電気変換モジュール９５は、図２に示した宅内通信変換装置１１のブリッジ１１ｊ、ＡＡＬ部１１ｋ、ＡＴＭ部１１ｌ、光電気変換モジュール１１ｍと同様の処理を行う。即ち、図３に示すように、ブリッジ９２は、イーサネット部９１から取得したイーサネットフレーム６ｂに、ブリッジヘッダ６ａを付加して、ブリッジフレーム７ａを作成する。ブリッジ９２は、作成したブリッジフレーム７ａをＡＡＬ部９３に入力する。又、ブリッジ９２は、ブリッジヘッダ６ａを破棄してイーサネットフレーム６ｂを取り出し、イーサネット部９１に入力する。
【０２１３】
ＡＡＬ部９３は、取得したブリッジフレーム７ａに８〜５５バイトのＡＡＬのトレイラ７ｂを付加して、４８バイトの整数倍に整えた情報フレーム８を作成する。次に、ＡＡＬ部９３は、情報フレーム８を４８バイト毎に分割するセグメント化を行う。ＡＡＬ部９３は、セグメント化により得た複数の４８バイトのデータ部９ｂを、ＡＴＭ部９４に入力する。又、ＡＡＬ部９３は、取得したデータ部９ｂを元の情報フレーム８に復元する。ＡＡＬ部９３は、復元した情報フレーム８のＡＡＬのトレイラ７ｂを破棄し、ブリッジフレーム７ａを取り出して、ブリッジ９２に入力する。
【０２１４】
ＡＴＭ部９４は、ＡＡＬ部９３から取得した４８バイトのデータ部９ｂに、５バイトのＡＴＭヘッダ９ａを付加して、ＡＴＭセルを作成する。ＡＴＭ部９４は、ＩＳＤＮフレームやイーサネットインタフェース情報から作成したＡＴＭセルを、光電気変換モジュール９５に入力する。又、ＡＴＭ部９４は、取得したＡＴＭセルのＡＴＭヘッダ９ａを破棄し、データ部９ｂを取り出して、ＡＡＬ部９３に入力する。
【０２１５】
光電気変換モジュール９５は、電気信号のＡＴＭセルを、光信号のＡＴＭセルに変換して、光ファイバーケーブル２０に送出する。このようにして、光電気変換モジュール９５は、光ファイバーケーブル２０を介して、ＩＳＤＮインタフェース情報やイーサネットインタフェース情報をＡＴＭセルとして局内通信変換装置３１に送信する。又、光電気変換モジュール９５は、光ファイバーケーブル２０を介して、局内通信変換装置３１からイーサネットインタフェース情報をＡＴＭセルとして受信する。光電気変換モジュール９５は、光信号のＡＴＭセルを、電気信号のＡＴＭセルに変換して、ＡＴＭ部９４に入力する。
【０２１６】
このように、宅内通信変換装置１１４では、イーサネット部１１４ｉが、ＩＳＤＮインタフェース情報、イーサネットインタフェース情報を送受信する端末送受信部として機能する。そして、イーサネット部１１４ｉは、ＯＮＵ９０ａを介して、局内通信変換装置３１と情報を送受信する。
【０２１７】
図１３に、宅内通信変換装置１１５と光ファイバーケーブル２０との間に、通信装置としてＯＮＵ９０ａを設け、宅内通信変換装置１１５とＯＮＵ９０ａとを、１０／１００ＢＡＳＥ−Ｔケーブル９０ｂで接続した場合を示す。宅内通信変換装置１１５は、ＩＰ層において制御を行う。そのため、図１３において、宅内通信変換装置１１５、ＯＮＵ９０ａ、１０／１００ＢＡＳＥ−Ｔケーブル９０ｂ以外は、図５と同様である。又、図１３において、ＯＮＵ９０ａ、１０／１００ＢＡＳＥ−Ｔケーブル９０ｂは、図１２と同様である。
【０２１８】
宅内通信変換装置１１５は、Ｕ点ポート１１ａと、イーサネットインタフェースポート１１ｂと、Ｕ点制御部１１２ｃと、イーサネット制御部１１２ｄと、ＩＰ部１１２ｆと、ＰＰＰ部１１ｇと、ＰＰＰｏＥ部１１ｈと、イーサネット部１１４ｉとを備える。尚、宅内通信変換装置１１５において、図５に示す宅内通信変換装置１１２、図１２に示す宅内通信変換装置１１４と同様の部分については、同一の符号を付して説明を省略する。
【０２１９】
図１４に、宅内通信変換装置１１６と光ファイバーケーブル２０との間に、通信装置としてＯＮＵ９０ａを設け、宅内通信変換装置１１６とＯＮＵ９０ａとを、１０／１００ＢＡＳＥ−Ｔケーブル９０ｂで接続した場合を示す。宅内通信変換装置１１６は、ＰＰＰｏＥ層において制御を行う。そのため、図１４において、宅内通信変換装置１１６、ＯＮＵ９０ａ、１０／１００ＢＡＳＥ−Ｔケーブル９０ｂ以外は、図７と同様である。又、図１４において、ＯＮＵ９０ａ、１０／１００ＢＡＳＥ−Ｔケーブル９０ｂは、図１２と同様である。
【０２２０】
宅内通信変換装置１１６は、Ｕ点ポート１１ａと、イーサネットインタフェースポート１１ｂと、Ｕ点制御部１１３ｃと、イーサネット制御部１１３ｄと、ＰＰＰｏＥ部１１３ｈと、イーサネット部１１４ｉとを備える。尚、宅内通信変換装置１１６において、図７に示す宅内通信変換装置１１３、図１２に示す宅内通信変換装置１１４と同様の部分については、同一の符号を付して説明を省略する。
【０２２１】
図１２〜１４に示した宅内通信変換装置１１４〜１１６、ＯＮＵ９０ａによれば、図２、図５、図７に示した宅内通信変換装置１１，１１２，１１３によって得られる効果に加えて、以下のような効果が得られる。図２、図５、図７に示すブリッジ１１ｊ、ＡＡＬ部１１ｋ、ＡＴＭ部１１ｌが行っていた図３に示す点線よりも下位層の処理、光電気変換モジュール１１ｍが行っていた処理は、ＯＮＵ９０ａのブリッジ９２、ＡＡＬ部９３、ＡＴＭ部９４、光電気変換モジュール９５で可能な処理である。そのため、ＯＮＵ９０ａを介してＩＳＤＮインタフェース情報、イーサネット情報を送受信する宅内通信変換装置１１４〜１１６では、局内通信変換装置３１，３１２，３１３との通信に必要な機能の一部であるこれらの処理を行う機能を省略できる。
【０２２２】
更に、宅内システムに、ＯＮＵ９０ａが設置されており、ＯＮＵ９０ａが、１０／１００ＢＡＳＥ−Ｔケーブル９０ｂとのイーサネットインタフェース部を備え、１０／１００ＢＡＳＥ−Ｔケーブル９０ｂに接続可能な場合には、宅内通信変換装置１１４〜１１６は、ＯＮＵ９０ａをそのまま利用して、局内通信変換装置３１，３１２，３１３と情報を送受信できる。
【０２２３】
［第３の実施の形態］
〔ｘＤＳＬ通信システム〕
図１５に示すように、ｘＤＳＬ通信システム２００は、宅内システム２１０，２８０と、２芯メタリックケーブル２２０，２７０と、地域アクセス網２３０，２５０と、中継網２４０とを備える。尚、図１５において、図１に示す光通信システム１００と同様の部分については、同一の符号を付して説明を省略する。
【０２２４】
地域アクセス網２３０、中継網２４０、地域アクセス網２５０には、それぞれ複数の電話交換機３４，４４，５４が設置されて、地域アクセス網２３０、中継網２４０、地域アクセス網２５０に渡って電話網が設けられている。地域アクセス網２３０，２５０内には、スプリッタ３３，５３が設けられる。スプリッタ３３，５３は、低周波の電話の信号と高周波のデータの信号を重畳、分離するフィルタである。スプリッタ３３，５３は、宅内システム２１０，２８０から送信されてくる信号を分離して、分離した低周波信号を電話網に送信し、高周波信号を局内通信変換装置２３１，２５１に送信する。又、スプリッタ３３，５３は、電話網からの低周波信号と、局内通信変換装置２３１，２５１からの高周波信号とを重畳して、宅内システム２１０，２８０に送信する。
【０２２５】
地域アクセス網２３０，２５０内には、局内通信変換装置２３１，２５１が設けられる。局内通信変換装置２３１，２５１は、２芯メタリックケーブル２２０，２７０を介して、宅内システム２１０，２８０に接続する。又、局内通信変換装置２３１，２５１は、ＩＳＤＮ６０と、ＩＰ網３２，５２と、スプリッタ３３，５３に接続している。これらの点以外は、地域アクセス網２３０、中継網２４０、地域アクセス網２５０は、図１に示した地域アクセス網３０、中継網４０、地域アクセス網５０と同様である。
【０２２６】
宅内システム２１０，２８０は、宅内通信変換装置２１１，２８１と、ＩＳＤＮ端末装置１２，８２と、端末装置１３，８３と、スプリッタ１４，８４と、電話端末１５，８５とを備える。スプリッタ１４，８４は、地域アクセス網２３０，２８０から送信されてくる信号を分離して、分離した低周波信号を電話端末１５に入力し、高周波信号を宅内通信変換装置２１１，２８１に入力する。又、スプリッタ１４，８４は、電話端末１５からの低周波信号と、宅内通信変換装置２１１，２８１からの高周波信号とを重畳して、地域アクセス網２３０，２５０に送信する。
【０２２７】
宅内通信変換装置２１１，２８１は、２芯メタリックケーブル２２０，２７０を介して地域アクセス網２３０，２５０に接続する。又、宅内通信変換装置２１１，２８１は、ＩＳＤＮ端末装置１２，８２と、端末装置１３，８３と、スプリッタ１４，８４と接続している。宅内システム２１０と宅内システム２８０は、２芯メタリックケーブル２２０，２７０、地域アクセス網２３０，２５０、中継網２４０を介して、情報を送受信する。これらの点以外は、宅内システム２１０，２８０は、図１に示した宅内システム１０，８０と同様である。
【０２２８】
２芯メタリックケーブル２２０，２７０は、ディジタル加入者回線である。２芯メタリックケーブル２２０，２７０は、宅内システム２１０，２８０と地域アクセス網２３０，２５０とを接続する。詳細には、２芯メタリックケーブル２２０，２７０は、宅内通信変換装置２１１，２８１と、局内通信変換装置２３１，２５１とを、スプリッタ１４，８４，３３，５３を介して、接続する接続回線である。
【０２２９】
次に、図１６を用いて宅内通信変換装置と局内通信変換装置について、詳細に説明する。図１６では、宅内通信変換装置２１１と、２芯メタリックケーブル２２０と、局内通信変換装置２３１を示しているが、宅内通信変換装置２８１と、２芯メタリックケーブル２７０と、局内通信変換装置２５１についても同様である。宅内通信変換装置２１１と局内通信変換装置２３１は、対向して設置される。
【０２３０】
〔ＴＣＰ層における制御〕
宅内通信変換装置２１１、局内通信変換装置２３１は、ＴＣＰ層において制御を行う。
【０２３１】
（宅内通信変換装置）
宅内通信変換装置２１１は、Ｕ点ポート１１ａと、イーサネットインタフェースポート１１ｂと、Ｕ点制御部１１ｃと、イーサネット制御部１１ｄと、ＴＣＰ部１１ｅと、ＩＰ部１１ｆと、ＰＰＰ部１１ｇと、ＰＰＰｏＥ部１１ｈと、イーサネット部１１ｉと、ブリッジ１１ｊと、ＡＡＬ部１１ｋと、ＡＴＭ部２１１ｌと、ｘＤＳＬモデム部２１１ｍとを備える。尚、図１６において、図２に示す宅内通信変換装置１１と同様の部分については、同一の符号を付して説明を省略する。又、スプリッタ１４の図示を省略する。
【０２３２】
ＡＴＭ部２１１ｌは、ＩＳＤＮインタフェース情報から作成したＡＴＭセルを、ｘＤＳＬモデム部２１１ｍに入力する。又、ＡＴＭ部２１１ｌは、ｘＤＳＬモデム部２１１ｍが受信したＡＴＭセルを、取得する。これらの点以外は、ＡＴＭ部２１１ｌは、図２に示すＡＴＭ部１１ｌと同様である。
【０２３３】
ｘＤＳＬモデム部２１１ｍは、スプリッタ１４を介して、２芯メタリックケーブル２２０と接続する２芯メタリックケーブル２２０とのｘＤＳＬインタフェース部である。ｘＤＳＬモデム部２１１ｍは、情報を約２５ｋＨｚ〜１ＭＨｚ程度の周波数の信号に変換したり、その逆変換をしたりする。ｘＤＳＬモデム部２１１ｍは、ＡＴＭセルを約２５ｋＨｚ〜１ＭＨｚ程度の周波数の信号に変換して、スプリッタ１４を介して、２芯メタリックケーブル２２０に送出する。又、ｘＤＳＬモデム部２１１ｍは、スプリッタ１４を介して、２芯メタリックケーブル２２０から信号を受信する。ｘＤＳＬモデム部２１１ｍは、受信した約２５ｋＨｚ〜１ＭＨｚ程度の周波数の信号をＡＴＭセルに変換して、ＡＴＭ部２１１ｌに入力する。
【０２３４】
このようにして、ｘＤＳＬモデム２１１ｍは、２芯メタリックケーブル２２０を介して、ＩＳＤＮインタフェース情報、イーサネットインタフェース情報をＡＴＭセルとして、局内通信変換装置２３１と送受信する。
【０２３５】
（局内通信変換装置）
局内通信変換装置２３１は、Ｕ点ポート３１ａと、イーサネットインタフェースポート３１ｂと、Ｕ点制御部３１ｃと、イーサネット制御部３１ｄと、ＴＣＰ部３１ｅと、ＩＰ部３１ｆと、ＰＰＰ部３１ｇと、ＰＰＰｏＥ部３１ｈと、イーサネット部３１ｉと、ブリッジ３１ｊと、ＡＡＬ部３１ｋと、ＡＴＭ部２３１ｌと、ｘＤＳＬモデム部２３１ｍとを備える。尚、図１６において、図２に示す局内通信変換装置３１と同様の部分については、同一の符号を付して説明を省略する。又、スプリッタ３３の図示を省略する。
【０２３６】
ＡＴＭ部２３１ｌは、ＩＳＤＮインタフェース情報から作成したＡＴＭセルを、ｘＤＳＬモデム部２３１ｍに入力する。又、ＡＴＭ部２３１ｌは、ｘＤＳＬモデム部２３１ｍが受信したＡＴＭセルを、取得する。これらの点以外は、ＡＴＭ部２３１ｌは、図２に示すＡＴＭ部３１ｌと同様である。
【０２３７】
ｘＤＳＬモデム部２３１ｍは、スプリッタ３３を介して、２芯メタリックケーブル２２０と接続する２芯メタリックケーブル２２０とのｘＤＳＬインタフェース部である。ｘＤＳＬモデム部２３１ｍは、ＡＴＭセルを約２５ｋＨｚ〜１ＭＨｚ程度の周波数の信号に変換して、スプリッタ３３を介して、２芯メタリックケーブル２２０に送出する。又、ｘＤＳＬモデム部２３１ｍは、スプリッタ３３を介して、２芯メタリックケーブル２２０から信号を受信する。ｘＤＳＬモデム部２３１ｍは、受信した約２５ｋＨｚ〜１ＭＨｚ程度の周波数の信号をＡＴＭセルに変換して、ＡＴＭ部２３１ｌに入力する。
【０２３８】
このようにして、ｘＤＳＬモデム２３１ｍは、２芯メタリックケーブル２２０を介して、ＩＳＤＮインタフェース情報、イーサネットインタフェース情報をＡＴＭセルとして、宅内通信変換装置２１１と送受信する。
【０２３９】
〔ＩＰ層における制御〕
図１５に示す宅内通信変換装置２１１、局内通信変換装置２３１にかえて、図１７に示すＩＰ層において制御を行う宅内通信変換装置２１２、局内通信変換装置２３２を用いることもできる。
【０２４０】
（宅内通信変換装置）
宅内通信変換装置２１２は、Ｕ点ポート１１ａと、イーサネットインタフェースポート１１ｂと、Ｕ点制御部１１２ｃと、イーサネット制御部１１２ｄと、ＩＰ部１１２ｆと、ＰＰＰ部１１ｇと、ＰＰＰｏＥ部１１ｈと、イーサネット部１１ｉと、ブリッジ１１ｊと、ＡＡＬ部１１ｋと、ＡＴＭ部２１１ｌと、ｘＤＳＬモデム部２１１ｍとを備える。尚、図１７において、図５に示す宅内通信変換装置１１２、図１６に示す宅内通信変換装置２１１と同様の部分については、同一の符号を付して説明を省略する。又、スプリッタ１４の図示を省略する。
【０２４１】
（局内通信変換装置）
局内通信変換装置２３２は、Ｕ点ポート３１ａと、イーサネットインタフェースポート３１ｂと、Ｕ点制御部３１２ｃと、イーサネット制御部３１２ｄと、ＩＰ部３１２ｆと、ＰＰＰ部３１ｇと、ＰＰＰｏＥ部３１ｈと、イーサネット部３１ｉと、ブリッジ３１ｊと、ＡＡＬ部３１ｋと、ＡＴＭ部２３１ｌと、ｘＤＳＬモデム部２３１ｍとを備える。尚、図１７において、図５に示す局内通信変換装置３１２、図１６に示す局内通信変換装置２３１と同様の部分については、同一の符号を付して説明を省略する。又、スプリッタ３３の図示を省略する。
【０２４２】
〔ＰＰＰｏＥ層における制御〕
図１５に示す宅内通信変換装置２１１、局内通信変換装置２３１にかえて、図１８に示すＰＰＰｏＥ層において制御を行う宅内通信変換装置２１３、局内通信変換装置２３３を用いることもできる。
【０２４３】
（宅内通信変換装置）
宅内通信変換装置２１３は、Ｕ点ポート１１ａと、イーサネットインタフェースポート１１ｂと、Ｕ点制御部１１３ｃと、イーサネット制御部１１３ｄと、ＰＰＰｏＥ部１１３ｈと、イーサネット部１１ｉと、ブリッジ１１ｊと、ＡＡＬ部１１ｋと、ＡＴＭ部２１１ｌと、ｘＤＳＬモデム部２１１ｍとを備える。尚、図１８では、図７に示す宅内通信変換装置１１３、図１６に示す宅内通信変換装置２１１と同様の部分については、同一の符号を付して説明を省略する。又、スプリッタ１４の図示を省略する。
【０２４４】
（局内通信変換装置）
局内通信変換装置２３３は、Ｕ点ポート３１ａと、イーサネットインタフェースポート３１ｂと、Ｕ点制御部３１３ｃと、イーサネット制御部３１３ｄと、ＰＰＰｏＥ部３１３ｈと、イーサネット部３１ｉと、ブリッジ３１ｊと、ＡＡＬ部３１ｋと、ＡＴＭ部２３１ｌと、ｘＤＳＬモデム部２３１ｍとを備える。尚、図１８では、図７に示す局内通信変換装置３１３、図１６に示す局内通信変換装置２３１と同様の部分については、同一の符号を付して説明を省略する。又、スプリッタ３３の図示を省略する。
【０２４５】
このように、宅内通信変換装置２１１〜２１３、局内通信変換装置２３１〜２３３では、ｘＤＳＬモデム部２１１ｍ，２３１ｍが、２芯メタリックケーブル２２０を介してＩＳＤＮインタフェース情報、イーサネットインタフェース情報を、ＡＴＭセルとして送受信する端末送受信部、網送受信部として機能する。
【０２４６】
〔効果〕
このようなｘＤＳＬ光通信システム２００、局内通信変換装置２３１〜２３３、宅内通信変換装置２１１〜２１３によれば、２芯メタリックケーブル２２０，２７０による接続回線の区間の通信は、ＡＴＭパケット通信になるものの、共通の２芯メタリックケーブル２２０，２７０を用い、ＩＳＤＮ６０を用いた回線交換通信と、ＩＰ網３２，４２，５２を用いたパケット交換通信とを簡単に使い分けることができる。そして、回線交換通信とパケット交換通信の双方が、ディジタル加入者回線である２芯メタリックケーブル２２０，２７０のみを使用して利用することが可能となる。よって、緊急通報やフリーダイヤルなど、従来の回線交換方式の電話で提供していたサービスも提供できる。
【０２４７】
しかも、局内通信変換装置２３１〜２３３は、回線交換網としてＩＳＤＮ６０と相互接続できる。これにより、局内通信変換装置２３１〜２３３は、通信を行っていないときでも、レイヤ１，レイヤ２で回線状態を監視でき、ＩＳＤＮ６０が持つ信頼性を活かすことができる。その結果、様々なシステムで利用できる社会インフラになり得る統合的なｘＤＳＬ通信システム２００を実現できる。
【０２４８】
又、ｘＤＳＬモデム部２１１ｍ，２３１ｍが、２芯メタリックケーブル２２０を介して情報を、ＡＴＭセルとして送受信する。そのため、２芯メタリックケーブル２２０の区間の通信は、汎用的で相互接続性に優れたＡＴＭパケット通信により行うことができる。
【０２４９】
［第４の実施の形態］
図１５に示したｘＤＳＬ通信システム２００の宅内システム２１０，２８０内に、２芯メタリックケーブル２２０，２７０に接続して局内通信変換装置２３１，２５１と、ＩＳＤＮインタフェース情報、イーサネットインタフェース情報を送受信する通信装置を設けることができる。図１９に、宅内通信変換装置１１４と２芯メタリックケーブル２２０との間に、通信装置としてｘＤＳＬモデム２９０を設け、宅内通信変換装置１１４とｘＤＳＬモデム２９０とを、１０／１００ＢＡＳＥ−Ｔケーブル９０ｂで接続した場合を示す。尚、ｘＤＳＬモデム２９０は、スプリッタ１４を介して２芯メタリックケーブル２２０と接続しているが、図１９ではスプリッタ１４の図示を省略している。宅内通信変換装置１１４は、ＴＣＰ層において制御を行う。そのため、図１９において、宅内通信変換装置１１４、ｘＤＳＬモデム２９０、１０／１００ＢＡＳＥ−Ｔケーブル９０ｂ以外は、図１６と同様である。
【０２５０】
イーサネット部１１４ｉは、１０／１００ＢＡＳＥ−Ｔケーブル９０ｂを介して、イーサネットフレーム６ｂをｘＤＳＬモデム２９０に送信する。又、イーサネット部１１４ｉは、１０／１００ＢＡＳＥ−Ｔケーブル９０ｂを介して、イーサネットフレーム６ｂをｘＤＳＬモデム２９０から受信する。このように、イーサネット部１１４ｉは、１０／１００ＢＡＳＥ−Ｔケーブル９０ｂを介して、ｘＤＳＬモデム２９０と、ＩＳＤＮインタフェース情報、イーサネットインタフェース情報を送受信する。そして、イーサネット部１１４ｉは、ｘＤＳＬモデム２９０を介して、局内通信変換装置２３１と情報を送受信する。この点以外は、図１９に示す宅内通信変換装置１１４、１０／１００ＢＡＳＥ−Ｔケーブル９０ｂは、図１２と同様である。
【０２５１】
ｘＤＳＬモデム２９０は、イーサネット部２９１と、ブリッジ２９２と、ＡＡＬ部２９３と、ＡＴＭ部２９４と、ｘＤＳＬモデム部２９５とを備える。イーサネット部２９１は、１０／１００ＢＡＳＥ−Ｔケーブル９０ｂと接続する１０／１００ＢＡＳＥ−Ｔケーブル９０ｂとのイーサネットインタフェース部である。イーサネット部２９１は、宅内通信変換装置１１４からのＩＳＤＮインタフェース情報やイーサネットインタフェース情報を含むイーサネットフレーム６ｂを、１０／１００ＢＡＳＥ−Ｔケーブル９０ｂから受信する。即ち、イーサネット部２９１は、１０／１００ＢＡＳＥ−Ｔケーブル９０ｂを介して、イーサネットフレーム６ｂを宅内通信変換装置１１４から受信する。イーサネット部２９１は、受信したイーサネットフレーム６ｂを、ブリッジ２９２に入力する。
【０２５２】
又、イーサネット部２９１は、ブリッジ２９２から、局内通信変換装置２３１からのＩＳＤＮインタフェース情報やイーサネットインタフェース情報を含むイーサネットフレーム６ｂを取得する。イーサネット部２９１は、取得したイーサネットフレーム６ｂを、１０／１００ＢＡＳＥ−Ｔケーブル９０ｂに送信する。即ち、イーサネット部２９１は、１０／１００ＢＡＳＥ−Ｔケーブル９０ｂを介して、イーサネットフレーム６ｂを宅内通信変換装置１１４に送信する。イーサネット部９１は、例えば、１００Ｍｂｐｓの速度で、イーサネットフレーム６ｂを送信する。
【０２５３】
このように、イーサネット部２９１は、１０／１００ＢＡＳＥ−Ｔケーブル９０ｂを介して、宅内通信変換装置１１４と、ＩＳＤＮインタフェース情報、イーサネットインタフェース情報を送受信する通信装置送受信部として機能する。
【０２５４】
ブリッジ２９２、ＡＡＬ部２９３、ＡＴＭ部２９４、ｘＤＳＬモデム部２９５は、図１６に示した宅内通信変換装置２１１のブリッジ１１ｊ、ＡＡＬ部１１ｋ、ＡＴＭ部２１１ｌ、ｘＤＳＬモデム部２１１ｍと同様の処理を行う。即ち、図３に示すように、ブリッジ２９２は、イーサネット部２９１から取得したイーサネットフレーム６ｂに、ブリッジヘッダ６ａを付加して、ブリッジフレーム７ａを作成する。ブリッジ２９２は、作成したブリッジフレーム７ａをＡＡＬ部２９３に入力する。又、ブリッジ２９２は、ブリッジヘッダ６ａを破棄してイーサネットフレーム６ｂを取り出し、イーサネット部２９１に入力する。
【０２５５】
ＡＡＬ部２９３は、取得したブリッジフレーム７ａに８〜５５バイトのＡＡＬのトレイラ７ｂを付加して、４８バイトの整数倍に整えた情報フレーム８を作成する。次に、ＡＡＬ部２９３は、情報フレーム８を４８バイト毎に分割するセグメント化を行う。ＡＡＬ部２９３は、セグメント化により得た複数の４８バイトのデータ部９ｂを、ＡＴＭ部２９４に入力する。又、ＡＡＬ部２９３は、取得したデータ部９ｂを元の情報フレーム８に復元する。ＡＡＬ部２９３は、復元した情報フレーム８のＡＡＬのトレイラ７ｂを破棄し、ブリッジフレーム７ａを取り出して、ブリッジ２９２に入力する。
【０２５６】
ＡＴＭ部２９４は、ＡＡＬ部２９３から取得した４８バイトのデータ部９ｂに、５バイトのＡＴＭヘッダ９ａを付加して、ＡＴＭセルを作成する。ＡＴＭ部２９４は、ＩＳＤＮフレームやイーサネットインタフェース情報から作成したＡＴＭセルを、ｘＤＳＬモデム部２９５に入力する。又、ＡＴＭ部２９４は、取得したＡＴＭセルのＡＴＭヘッダ９ａを破棄し、データ部９ｂを取り出して、ＡＡＬ部２９３に入力する。
【０２５７】
ｘＤＳＬモデム部２９５は、スプリッタ１４を介して、２芯メタリックケーブル２２０と接続する２芯メタリックケーブル２２０とのｘＤＳＬインタフェース部である。ｘＤＳＬモデム部２９５は、ＡＴＭセルを約２５ｋＨｚ〜１ＭＨｚ程度の周波数の信号に変換して、スプリッタ１４を介して、２芯メタリックケーブル２２０に送出する。又、ｘＤＳＬモデム部２９５は、スプリッタ１４を介して、２芯メタリックケーブル２２０から信号を受信する。ｘＤＳＬモデム部２９５は、受信した約２５ｋＨｚ〜１ＭＨｚ程度の周波数の信号をＡＴＭセルに変換して、ＡＴＭ部２９４に入力する。このようにして、ｘＤＳＬモデム２９５は、２芯メタリックケーブル２２０を介して、ＩＳＤＮインタフェース情報、イーサネットインタフェース情報をＡＴＭセルとして、局内通信変換装置２３１と送受信する。
【０２５８】
図２０に、宅内通信変換装置１１５と２芯メタリックケーブル２２０との間に、通信装置としてｘＤＳＬモデム２９０を設け、宅内通信変換装置１１５とｘＤＳＬモデム２９０とを、１０／１００ＢＡＳＥ−Ｔケーブル９０ｂで接続した場合を示す。宅内通信変換装置１１５は、ＩＰ層において制御を行う。そのため、図２０において、宅内通信変換装置１１５、ｘＤＳＬモデム２９０、１０／１００ＢＡＳＥ−Ｔケーブル９０ｂ以外は、図１７と同様である。又、図２０において、ｘＤＳＬモデム２９０、１０／１００ＢＡＳＥ−Ｔケーブル９０ｂは、図１９と同様である。又、イーサネット部１１４ｉが、１０／１００ＢＡＳＥ−Ｔケーブル９０ｂを介して、ｘＤＳＬモデム２９０と、ＩＳＤＮインタフェース情報、イーサネットインタフェース情報を送受信する以外は、図２０に示す宅内通信変換装置１１５は、図１３と同様である。
【０２５９】
図２１に、宅内通信変換装置１１６と２芯メタリックケーブル２２０との間に、通信装置としてｘＤＳＬモデム２９０を設け、宅内通信変換装置１１６とｘＤＳＬモデム２９０とを、１０／１００ＢＡＳＥ−Ｔケーブル９０ｂで接続した場合を示す。宅内通信変換装置１１６は、ＰＰＰｏＥ層において制御を行う。そのため、図２１において、宅内通信変換装置１１６、ｘＤＳＬモデム２９０、１０／１００ＢＡＳＥ−Ｔケーブル９０ｂ以外は、図１８と同様である。又、図２１において、ｘＤＳＬモデム２９０、１０／１００ＢＡＳＥ−Ｔケーブル９０ｂは、図１９と同様である。又、イーサネット部１１４ｉが、１０／１００ＢＡＳＥ−Ｔケーブル９０ｂを介して、ｘＤＳＬモデム２９０と、ＩＳＤＮインタフェース情報、イーサネットインタフェース情報を送受信する以外は、図２１に示す宅内通信変換装置１１６は、図１４と同様である。
【０２６０】
図１９〜２１に示した宅内通信変換装置１１４〜１１６、ｘＤＳＬモデム２９０によれば、図１６〜１８に示した宅内通信変換装置２１１，２１２，２１３によって得られる効果に加えて、以下のような効果が得られる。図１６〜１８に示すブリッジ１１ｊ、ＡＡＬ部１１ｋ、ＡＴＭ部２１１ｌが行っていた図３に示す点線よりも下位層の処理、ｘＤＳＬモデム部２１１ｍが行っていた処理は、ｘＤＳＬモデム２９０のブリッジ２９２、ＡＡＬ部２９３、ＡＴＭ部２９４、ｘＤＳＬモデム部２９５で可能な処理である。そのため、ｘＤＳＬモデム２９０を介してＩＳＤＮインタフェース情報、イーサネット情報を送受信する宅内通信変換装置１１４〜１１６では、局内通信変換装置２３１，２３２，２３３との通信に必要な機能の一部であるこれらの処理を行う機能を省略できる。
【０２６１】
更に、宅内システムに、ｘＤＳＬモデム２９０が設置されており、ｘＤＳＬモデム２９０が、１０／１００ＢＡＳＥ−Ｔケーブル９０ｂとのイーサネットインタフェース部を備え、１０／１００ＢＡＳＥ−Ｔケーブル９０ｂに接続可能な場合には、宅内通信変換装置１１４〜１１６は、ｘＤＳＬモデム２９０をそのまま利用して、局内通信変換装置２３１，２３２，２３３と情報を送受信できる。
【０２６２】
しかも、図１２〜図１４に示した宅内通信変換装置１１４〜１１６と、図１９〜図２１に示した宅内通信変換装置１１４〜１１６は、接続先がＯＮＵ９０ａであるか、ｘＤＳＬモデム２９０であるかが異なるだけである。そのため、接続回線が光ファイバーケーブル２０の場合であっても、２芯メタリックケーブル２２０の場合であっても、同じ宅内通信変換装置１１４〜１１６を共用できる。
【０２６３】
そのため、ＯＮＵと局内通信変換装置との間の接続回線を、光ファイバーケーブルから２芯メタリックケーブルに変更する場合や、ｘＤＳＬモデムと局内通信変換装置との間の接続回線を、２芯メタリックケーブルから光ファイバーケーブルに変更する場合に、宅内通信変換装置を変更せずに、ＯＮＵやｘＤＳＬモデムなどの通信装置を変更するだけで、情報の送受信が可能となる。よって今後、接続回線が、２芯メタリックケーブルから光ファイバーケーブルに移行されていくようなケースが増えると想定されるが、このような場合でも、宅内通信変換装置１１４〜１１６を変更する必要がなく、効率的に移行を行うことができる。
【０２６４】
［変更例］
本発明は、上記第１〜第４の実施の形態に限定されるものではなく、種々の変更が可能である。宅内通信変換装置は、ＩＳＤＮ端末装置１２，８２のような回線交換端末装置又は端末装置１３，８３のようなパケット交換端末装置の少なくとも１つに、シリアル通信により情報を提供する端末シリアル通信インタフェース部であるシリアル通信用ポート、又は、回線交換端末装置又はパケット交換端末装置の少なくとも１つに、パラレル通信により情報を提供する端末パラレル通信インタフェース部であるパラレル通信用ポートの少なくとも１つを備えるようにしてもよい。そして、上記した端末制御部が、端末送受信部が受信した情報を、シリアル通信用ポート及びパラレル通信用ポートに分けて提供するようにしてもよい。
【０２６５】
又、局内通信変換装置も、ＩＳＤＮ６０のような回線交換網又はＩＰ網３２，５２のようなパケット交換網の少なくとも１つに、シリアル通信により情報を提供する網シリアル通信インタフェース部であるシリアル通信用ポート、又は、回線交換網又はパケット交換網の少なくとも１つに、パラレル通信により前記情報を提供する網パラレル通信インタフェース部であるパラレル通信用ポートの少なくとも１つを備えるようにしてもよい。そして、上記した網制御部が、網送受信部が受信した情報を、シリアル通信用ポート及びパラレル通信用ポートに分けて提供するようにしてもよい。
【０２６６】
これによれば、宅内通信変換装置、局内通信変換装置は、回線交換端末装置やパケット交換端末装置、回線交換網やパケット交換網に、シリアル通信やパラレル通信により、情報を提供できる。
【０２６７】
又、上記第１〜第４の実施の形態では、端末制御部、網制御部が、ＴＣＰ層における制御データ、ＩＰ層における制御データ又はＰＰＰｏＥ層における制御データのいずれか１つを用いているが、ＴＣＰ層における制御データ、ＩＰ層における制御データ又はＰＰＰｏＥ層における制御データの少なくとも１つを用いればよい。即ち、端末制御部、網制御部は、ＴＣＰ層における制御データ、ＩＰ層における制御データ又はＰＰＰｏＥ層における制御データのいずれか２つ、あるいは、全てを用いて、回線交換通信又はパケット交換通信いずれにより送受信する情報であるかを相手に通知したり、判断して分けたりしてもよい。
【０２６８】
又、上記第１〜第４の実施の形態では、網通信変換装置として、ネットワーク内に設けられる局内通信変換装置３１，３１２，３１３，２３１〜２３３を用い、端末通信変換装置として、宅内システム内に設けられる宅内通信変換装置１１，１１２〜１１６，２１１〜２１３を用い、両者の間の通信について説明したが、これに限定されるものではない。
【０２６９】
本発明は、例えば、構内における通信機器間の通信についても適用できる。即ち、回線交換網及びパケット交換網と接続する通信機器を網通信変換装置として用い、回線交換端末装置及びパケット交換端末装置と接続する通信機器を端末通信変換装置として用い、両者が接続回線を介して情報を送受信する場合に、局内通信変換装置と宅内通信変換装置の場合と同様に、情報を送受信できる。
【０２７０】
【発明の効果】
以上説明したように、本発明によれば、共通の接続回線を用い、回線交換通信とパケット交換通信を簡単に使い分けることができる通信システム、網通信変換装置及び端末通信変換装置を提供することができる。
【図面の簡単な説明】
【図１】本発明の第１の実施の形態に係る光通信システムの構成を示す図である。
【図２】本発明の第１の実施の形態に係るＴＣＰ層において制御を行う宅内通信変換装置及び局内通信変換装置を示すブロック図である。
【図３】本発明の第１の実施の形態に係るＡＴＭセルの作成の様子を示す図である。
【図４】本発明の第１の実施の形態に係るＴＣＰヘッダを示す図である。
【図５】本発明の第１の実施の形態に係るＩＰ層において制御を行う宅内通信変換装置及び局内通信変換装置を示すブロック図である。
【図６】本発明の第１の実施の形態に係るＩＰヘッダを示す図である。
【図７】本発明の第１の実施の形態に係るＰＰＰｏＥ層において制御を行う宅内通信変換装置及び局内通信変換装置を示すブロック図である。
【図８】本発明の第１の実施の形態に係るＰＰＰｏＥフレームを示す図である。
【図９】本発明の第１の実施の形態に係るＩＳＤＮフレーム間の相対位置関係を示す図である。
【図１０】本発明の第１の実施の形態に係るＩＳＤＮインタフェース情報を送受信する際のタイムチャート図である。
【図１１】本発明の第１の実施の形態に係るＩＳＤＮインタフェース情報を送受信する際の他のタイムチャート図である。
【図１２】本発明の第２の実施の形態に係るＴＣＰ層において制御を行う宅内通信変換装置及び局内通信変換装置を示すブロック図である。
【図１３】本発明の第２の実施の形態に係るＩＰ層において制御を行う宅内通信変換装置及び局内通信変換装置を示すブロック図である。
【図１４】本発明の第２の実施の形態に係るＰＰＰｏＥ層において制御を行う宅内通信変換装置及び局内通信変換装置を示すブロック図である。
【図１５】本発明の第３の実施の形態に係るｘＤＳＬ通信システムの構成を示す図である。
【図１６】本発明の第３の実施の形態に係るＴＣＰ層において制御を行う宅内通信変換装置及び局内通信変換装置を示すブロック図である。
【図１７】本発明の第３の実施の形態に係るＩＰ層において制御を行う宅内通信変換装置及び局内通信変換装置を示すブロック図である。
【図１８】本発明の第３の実施の形態に係るＰＰＰｏＥ層において制御を行う宅内通信変換装置及び局内通信変換装置を示すブロック図である。
【図１９】本発明の第４の実施の形態に係るＴＣＰ層において制御を行う宅内通信変換装置及び局内通信変換装置を示すブロック図である。
【図２０】本発明の第４の実施の形態に係るＩＰ層において制御を行う宅内通信変換装置及び局内通信変換装置を示すブロック図である。
【図２１】本発明の第４の実施の形態に係るＰＰＰｏＥ層において制御を行う宅内通信変換装置及び局内通信変換装置を示すブロック図である。
【符号の説明】
１００  光通信システム
１０，８０，２１０，２８０  宅内システム
１１，８１，１１２〜１１６，２１１〜２１３，２８１  宅内通信変換装置
１１ａ，３１ａ  Ｕ点ポート
１１ｂ，３１ｂ  イーサネットインタフェースポート
１１ｃ，３１ｃ，１１２ｃ，３１２ｃ，１１３ｃ，３１３ｃ  Ｕ点制御部
１１ｄ，３１ｄ，１１２ｄ，３１２ｄ，１１３ｄ，３１３ｄ  イーサネット制御部
１１ｅ，３１ｅ  ＴＣＰ部
１１ｆ，３１ｆ，１１２ｆ，３１２ｆ  ＩＰ部
１１ｇ，３１ｇ  ＰＰＰ部
１１ｈ，３１ｈ，１１３ｈ，３１３ｈ  ＰＰＰｏＥ部
１１ｉ，３１ｉ，９１，１１４ｉ，２９１  イーサネット部
１１ｊ，３１ｊ，９２，２９２  ブリッジ
１１ｋ，３１ｋ，９３，２９３  ＡＡＬ部
１１ｌ，３１ｌ，９４，２１１ｌ，２３１ｌ，２９４  ＡＴＭ部
１１ｍ，３１ｍ，９５  光電気変換モジュール
１２，８２  ＩＳＤＮ端末装置
１３，８３  端末装置
１４，３３，５３，８４  スプリッタ
１５，８５  電話端末
２０，７０  光ファイバーケーブル
３０，５０，２３０，２５０  地域アクセス網
３１，５１，２３１〜２３３，２５１，３１２，３１３  局内通信変換装置
３２，４２，５２  ＩＰ網
３４，４４，５４  交換機
４０  中継網，２４０
６０  ＩＳＤＮ
６１  ＩＳＤＮ交換機
９０ａ  ＯＮＵ
９０ｂ  １０／１００ＢＡＳＥ−Ｔケーブル
２００  ｘＤＳＬ通信システム
２１１ｍ，２３１ｍ，２９５  ｘＤＳＬモデム部
２２０，２７０  ２芯メタリックケーブル
２９０  ｘＤＳＬモデム
【図１】
2004328656.tif 000003
【図２】
2004328656.tif 000004
【図３】
2004328656.tif 000005
【図４】
2004328656.tif 000006
【図５】
2004328656.tif 000007
【図６】
2004328656.tif 000008
【図７】
2004328656.tif 000009
【図８】
2004328656.tif 000010
【図９】
2004328656.tif 000011
【図１０】
2004328656.tif 000012
【図１１】
2004328656.tif 000013
【図１２】
2004328656.tif 000014
【図１３】
2004328656.tif 000015
【図１４】
2004328656.tif 000016
【図１５】
2004328656.tif 000017
【図１６】
2004328656.tif 000018
【図１７】
2004328656.tif 000019
【図１８】
2004328656.tif 000020
【図１９】
2004328656.tif 000021
【図２０】
2004328656.tif 000022
【図２１】
2004328656.tif 000023